(57)【特許請求の範囲】
【請求項１】
複数の無線ステーションを有する無線エリアネットワークに関連付けるためのアクセスポイントであって、
プロセッサであって、
ＣＯＢＲＡポーリングフレームを単一の送信機会内で前記複数の無線ステーションに送信し、
前記単一の送信機会内で、前記複数の無線ステーションのうちの１または複数から、前記ＣＯＢＲＡポーリングフレームに応答して送信されたＣＯＢＲＡ応答フレームにおいて送信メトリックおよび分解能を受信し、
前記単一の送信機会内で、前記複数の無線ステーションのうちの１または複数からの前記メトリックおよび前記分解能に基づいて、整合性のある無線ステーションのグループを決定し、
前記単一の送信機会内で、前記単一の送信機会内で送信する前記メトリックおよび前記分解能に基づいて、前記整合性のある無線ステーションの前記グループの１または複数の無線ステーションに送信構成を送る
ように構成された、プロセッサを備えたアクセスポイント。
【請求項２】
前記プロセッサは、前記単一の送信機会内で、前記整合性のある無線ステーションの前記グループの１または複数の無線ステーションから、送信を受信するようにさらに構成される、請求項１のアクセスポイント。
【請求項３】
前記送信構成は、電力値および周波数オフセットの少なくとも１つを備える、請求項１のアクセスポイント。
【請求項４】
前記メトリックは、前記複数の無線ステーションのうちの１または複数によって現在用いられている電力値および前記複数の無線ステーションのうちの１または複数によって現在用いられている周波数オフセットの１または複数を備える、請求項１のアクセスポイント。
【請求項５】
前記分解能は、前記複数の無線ステーションのうちの１または複数からのアップリンク送信のタイプに関連付けられる、請求項１のアクセスポイント。
【請求項６】
前記アップリンク送信のタイプは、周波数分割ベースのシグナリングプロトコルを含む多入力多出力（ＭＩＭＯ）送信、または直交周波数分割多元接続（ＯＦＤＭＡ）送信の１つである、請求項５のアクセスポイント。
【請求項７】
単一の送信機会を介してそれぞれがアクセスポイントと通信できる複数の無線ステーションを有する無線エリアネットワークに関連付けるためのアクセスポイントであって、
プロセッサであって、
ＣＯＢＲＡポーリングフレームを単一の送信機会内で前記複数の無線ステーションに送信し、
前記単一の送信機会内で、前記ＣＯＢＲＡポーリングフレームに応答して送信されたＣＯＢＲＡ応答フレームにおいて前記複数の無線ステーションのそれぞれからメトリックおよび分解能を受信し、
前記単一の送信機会内で、前記複数の無線ステーションのそれぞれについての前記メトリックおよび前記分解能に基づいて、整合性のある無線ステーションのグループを決定し、
前記単一の送信機会内で、前記単一の送信機会内で送信する各無線ステーションについての前記メトリックおよび前記分解能に基づいて、前記整合性のある無線ステーションのグループ内の前記複数の無線ステーションのそれぞれに送信構成を送る
ように構成された、プロセッサを備えたアクセスポイント。
【請求項８】
前記送信構成は、それぞれの電力値およびそれぞれの周波数オフセットの少なくとも１つを備える、請求項７のアクセスポイント。
【請求項９】
前記メトリックは、電力値または周波数オフセットの１または複数を備える、請求項７のアクセスポイント。
【請求項１０】
前記分解能は、前記複数の無線ステーションのそれぞれからのアップリンク送信のタイプに関連付けられる、請求項７のアクセスポイント。
【請求項１１】
前記アップリンク送信のタイプは、周波数分割ベースのシグナリングプロトコルを含む多入力多出力（ＭＩＭＯ）送信、または直交周波数分割多元接続（ＯＦＤＭＡ）送信の１つである、請求項１０のアクセスポイント。
【請求項１２】
前記プロセッサは、前記メトリックおよび前記分解能に基づいて、前記整合性のある無線ステーションのグループについての送信電力またはタイミングアドバンスの少なくとも１つを決定するようにさらに構成される、請求項７のアクセスポイント。
【請求項１３】
前記プロセッサは、前記メトリックおよび前記分解能に基づいて、前記整合性のある無線ステーションのグループについての送信電力調整を決定するようにさらに構成される、請求項７のアクセスポイント。
【請求項１４】
前記プロセッサは、前記メトリックおよび前記分解能に基づいて、前記整合性のある無線ステーションのグループについての周波数補正を決定するようにさらに構成される、請求項７のアクセスポイント。
【請求項１５】
アクセスポイントを、無線ステーションを有する無線エリアネットワークに関連付ける方法であって、
前記アクセスポイントによって、ＣＯＢＲＡポーリングフレームを単一の送信機会内で複数の無線ステーションに送信することと、
前記アクセスポイントによって、前記単一の送信機会内で、前記複数の無線ステーションから、メトリックおよび分解能を受信することと、
前記アクセスポイントによって、前記単一の送信機会内で、前記複数の無線ステーションからの前記メトリックおよび前記分解能に基づいて、整合性のある無線ステーションのグループを決定することと、
前記アクセスポイントによって、前記単一の送信機会内で、前記単一の送信機会内で送信する前記メトリックおよび前記分解能に基づいて、前記整合性のある無線ステーションのグループに送信構成を送ることと
を備える方法。
【請求項１６】
前記アクセスポイントによって、前記単一の送信機会内で、前記整合性のある無線ステーションのグループから、送信を受信することをさらに備える、請求項１５の方法。
【請求項１７】
前記送信構成は、それぞれの電力値およびそれぞれの周波数オフセットの少なくとも１つを備える、請求項１５の方法。
【請求項１８】
前記メトリックは、前記複数の無線ステーションによって現在用いられている電力値および前記複数の無線ステーションによって現在用いられている周波数オフセットの１または複数を備える、請求項１５の方法。
【請求項１９】
前記分解能は、前記複数の無線ステーションからのアップリンク送信のタイプに関連付けられる、請求項１５の方法。
【請求項２０】
前記アップリンク送信のタイプは、周波数分割ベースのシグナリングプロトコルを含む多入力多出力（ＭＩＭＯ）送信、または直交周波数分割多元接続（ＯＦＤＭＡ）送信の１つである、請求項１９の方法。
【発明の詳細な説明】
【技術分野】
【０００１】
本発明は、無線通信に関する。
【０００２】
関連出願の相互参照
本出願は、参照により本明細書に組み込まれている、2014年7月18日に出願した米国特許仮出願第６２/０２６，３２９号の利益を主張するものである。
【背景技術】
【０００３】
無線通信サービスおよび帯域幅容量に対する増加する需要により、無線ネットワーク、例えば無線ローカルエリアネットワーク（ＷＬＡＮ）は、多入力多出力（ＭＩＭＯ）技術、例えばマルチユーザＭＩＭＯ（ＭＵ−ＭＩＭＯ）を用いることができる。１または複数のＷＬＡＮデバイス、例えばＷＬＡＮステーション（ＳＴＡ）は、ＭＵ−ＭＩＭＯのために構成され得る。このような構成の使用は性能の大幅な向上、例えばデータスループット効率の良い帯域幅使用を提供し得る。しかし既存のＭＵ−ＭＩＭＯ技術の性能（例えばアップリンクＭＵ−ＭＩＭＯの帯域幅利用）は、不十分となり得る。
【発明の概要】
【０００４】
例えば米国電気電子技術者協会（ＩＥＥＥ）８０２．１１ベースのシステムにおいて、例えばＩＥＥＥ８０２．１１ステーション（ＳＴＡ）を用いて、ＷＬＡＮアップリンクマルチユーザ多入力多出力（ＵＬ  ＭＵ−ＭＩＭＯ）通信を実施するためのシステム、方法および手段が記述される。ＳＴＡは例えばＩＥＥＥ８０２．１１アクセスポイント（ＡＰ）からダウンリンクポールフレームを受信することができ、ダウンリンクポールフレームは、送信電力の報告を求める要求、応答フレームのタイムスタンプを求める要求、またはＡＰとＳＴＡの間の推定されたキャリア周波数オフセット（ＣＦＯ）値を求める要求の１または複数を含むことができる。ダウンリンクポールフレームは、制御フレーム、コマンドフレーム、または管理フレームを介して受信され得る。
【０００５】
ＳＴＡはアップリンク応答フレームを送ることができる。アップリンク応答フレームはＡＰへの、送信電力パラメータ、タイムスタンプパラメータ、または推定されたＣＦＯ値の１または複数を含み得る。送信電力パラメータは、送信電力、送信アンテナ利得、送信電力ヘッドルームなどの１または複数を含むことができる。タイムスタンプパラメータは、ＳＴＡにおける応答フレームのタイムスタンプを含むことができる。アップリンク応答フレームは、送信電力パラメータが帯域幅全体に対するものか、１または複数のサブチャネルに対するものかの表示を含むことができる。アップリンク応答フレームは、制御フレーム、コマンドフレーム、または管理フレームを介して送られ得る。
【０００６】
ＳＴＡはスケジュールフレームを受信することができる。スケジュールフレームは、送信電力、タイミング補正値、またはＣＦＯ補正値の１または複数を調整するための表示を含むことができる。送信電力は、帯域幅またはサブチャネルにわたって調整され得る。ＳＴＡは、受信された表示に基づいて、送信信号の送信電力を調整することができる。ＳＴＡは、受信されたタイミング補正値、または受信されたＣＦＯ補正値の１または複数を、送信信号に適用することができる。タイミング補正値および／またはＣＦＯ補正値は、量子化されたタイミング補正値および／または量子化されたＣＦＯ補正値とすることができる。ＳＴＡは送信信号を送ることができる。
【０００７】
本発明のシステムおよび方法は、メトリックおよび分解能を備える単一の送信機会を介してそれぞれがアクセスポイントと通信できる複数の無線ステーションを有する無線エリアネットワークに関連付けるためのアクセスポイントを含むことができる。アクセスポイントは、単一の送信機会内で、複数の無線ステーションのそれぞれに対するメトリックおよび分解能に基づいて、整合性のあるステーションのグループを決定し、単一の送信機会内で、メトリックおよび分解能に基づいて、整合性のあるステーションのグループ内の複数の無線ステーションのそれぞれに構成（configuration）を送るように構成されたプロセッサを含むことができる。構成は、それぞれの電力値、またはそれぞれの周波数オフセットの少なくとも１つを含むことができる。複数の無線ステーションのそれぞれに対するメトリックは、電力値または周波数オフセットの１または複数を含むことができる。複数の無線ステーションのそれぞれに対する分解能は、複数の無線ステーションのそれぞれからのアップリンク送信に関連付けられ得る。アップリンク送信は、多入力多出力（ＭＵ−ＭＩＭＯ）送信、または直交周波数分割多元接続（ＯＦＤＭＡ）送信の１つとすることができる。アクセスポイントプロセッサは、メトリックおよび分解能に基づいて、整合性のあるステーションのグループに対する送信電力またはタイミングアドバンスの少なくとも１つを決定するように、メトリックおよび分解能に基づいて、整合性のあるステーションのグループに対する送信電力調整を決定するように、および／またはメトリックおよび分解能に基づいて、整合性のあるステーションのグループに対する周波数補正を決定するように構成され得る。
【図面の簡単な説明】
【０００８】
より詳細な理解は、添付の図面と共に例として示される以下の説明から得られ得る。
【図１Ａ】例示的通信システムを示す図である。
【図１Ｂ】例示的無線送受信ユニット（ＷＴＲＵ）を示す図である。
【図１Ｃ】例示的無線ローカルエリアネットワーク（ＷＬＡＮ）デバイスを示す図である。
【図２】ＵＬ協調直交ブロックベースリソース割り当て（ＣＯＢＲＡ）送信機のブロック図の例を示す図である。
【図３】マルチユーザ通信のためにスケジュールされたおよび／または識別されたＳＴＡのグループに対して用いられ得る、例示的１チャネルアクセス機構を示す図である。
【図３Ａ】送信機会（ＴＸＯＰ）におけるアクセスポイント処理の例を示す図である。
【図３Ｂ】単一ＴＸＯＰにおけるマルチユーザ同期の例を示す図である。
【図４】マルチユーザ制御フィールドを含み得る、ＣＯＢＲＡスケジュールフレームの例を示す図である。
【図５】マルチユーザ制御フィールドを含み得る、ＣＯＢＲＡスケジュールフレームの例を示す図である。
【図６】アップリンクＣＯＢＲＡ送信の受信のための受信機の例を示す図である。
【図７】アップリンクＣＯＢＲＡ送信の受信のための受信機の例を示す図である。
【図８】残留キャリア周波数オフセット（ＣＦＯ）分布関数の例を示す図である。
【図９】チャネルＢを通した単一データストリームアップリンクＣＯＢＲＡ送信のシミュレーション結果の例を示す図である。
【図１０】チャネルＤを通した単一データストリームアップリンクＣＯＢＲＡ送信のシミュレーション結果の例を示す図である。
【発明を実施するための形態】
【０００９】
次に例示的実施形態の詳細な説明が、様々な図に関連して述べられる。この説明は可能な実装形態の詳細な例をもたらすが、詳細は例示的なものであり、本出願の範囲を限定するものでは全くないことが留意されるべきである。
【００１０】
図１Ａは、１または複数の開示された特徴が実施され得る例示の通信システム１００の図である。例えば無線ネットワーク（例えば通信システム１００の１または複数の構成要素を備えた無線ネットワーク）は、無線ネットワークを超えて（例えば無線ネットワークに関連付けられた壁で囲まれた庭を越えて）広がるベアラに、ＱｏＳ特性が割り振られ得るように構成され得る。
【００１１】
通信システム１００は、複数の無線ユーザに音声、データ、ビデオ、メッセージング、ブロードキャスト等のコンテンツをもたらす多元接続方式とすることができる。通信システム１００は、複数の無線ユーザが、無線帯域幅を含む、システムリソースの共有を通じて、このようなコンテンツにアクセスすることを可能にすることができる。例えば通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一キャリアＦＤＭＡ（ＳＣ−ＦＤＭＡ）等の、１または複数のチャネルアクセス方法を使用することができる。
【００１２】
図１Ａに示されるように通信システム１００は、複数のＷＴＲＵ、例えばＷＴＲＵ１０２ａ、１０２ｂ、１０２ｃ、および１０２ｄなどの少なくとも１つの無線送受信ユニット（ＷＴＲＵ）、無線アクセスネットワーク（ＲＡＮ）１０４、コアネットワーク１０６、公衆交換電話ネットワーク（ＰＳＴＮ）１０８、インターネット１１０、および他のネットワーク１１２を含むことができるが、開示される実施形態は任意の数のＷＴＲＵ、基地局、ネットワーク、および／またはネットワーク要素を企図することが理解されるべきである。ＷＴＲＵ１０２ａ、１０２ｂ、１０２ｃ、１０２ｄのそれぞれは、無線環境において動作および／または通信するように構成された任意のタイプのデバイスとすることができる。例としてＷＴＲＵ１０２ａ、１０２ｂ、１０２ｃ、１０２ｄは、無線信号を送信および／または受信するように構成されることができ、ユーザ機器（ＵＥ）、移動局、固定またはモバイル加入者ユニット、ページャ、携帯電話、携帯情報端末（ＰＤＡ）、スマートフォン、ラップトップ、ノートブック、パーソナルコンピュータ、無線センサ、民生用電子機器等を含むことができる。
【００１３】
通信システム１００はまた、基地局１１４ａおよび基地局１１４ｂを含むことができる。基地局１１４ａ、１１４ｂのそれぞれは、コアネットワーク１０６、インターネット１１０および／またはネットワーク１１２等の、１または複数の通信ネットワークへのアクセスを容易にするように、ＷＴＲＵ１０２ａ、１０２ｂ、１０２ｃ、１０２ｄの少なくとも１つと無線でインターフェースするように構成された任意のタイプのデバイスとすることができる。例として基地局１１４ａ、１１４ｂは、基地トランシーバ局（ＢＴＳ）、ノードＢ、ｅノードＢ、ホームノードＢ、ホームｅノードＢ、サイトコントローラ、アクセスポイント（ＡＰ）、無線ルータ等とすることができる。基地局１１４ａ、１１４ｂはそれぞれ単一の要素として示されるが、基地局１１４ａ、１１４ｂは、任意の数の相互接続された基地局および／またはネットワーク要素を含み得ることが理解されるべきである。
【００１４】
基地局１１４ａはＲＡＮ１０４の一部とすることができ、これはまた他の基地局、および／または基地局コントローラ（ＢＳＣ）、無線ネットワークコントローラ（ＲＮＣ）、中継ノードなどのネットワーク要素（図示せず）を含むことができる。基地局１１４ａおよび／または基地局１１４ｂは、セル（図示せず）と呼ばれ得る特定の地理的領域内で、無線信号を送信および／または受信するように構成され得る。セルはさらにセルセクタに分割され得る。例えば基地局１１４ａに関連付けられたセルは、３つのセクタに分割され得る。従って一実施形態では基地局１１４ａは、３つのトランシーバ、すなわちセルの各セクタに対して１つを含むことができる。他の実施形態では基地局１１４ａは、多入力多出力（ＭＩＭＯ）技術を使用することができ、従ってセルの各セクタに対して複数のトランシーバを利用することができる。
【００１５】
基地局１１４ａ、１１４ｂは、任意の適切な無線通信リンク（例えば無線周波数（ＲＦ）、マイクロ波、赤外線（ＩＲ）、紫外線（ＵＶ）、可視光など）とすることができるエアインターフェース１１６を通して、ＷＴＲＵ１０２ａ、１０２ｂ、１０２ｃ、１０２ｄの１または複数と通信することができる。エアインターフェース１１６は、任意の適切な無線アクセス技術（ＲＡＴ）を用いて確立され得る。
【００１６】
より具体的には上記のように通信システム１００は、多元接続方式とすることができ、ＣＤＭＡ、ＴＤＭＡ、ＦＤＭＡ、ＯＦＤＭＡ、ＳＣ−ＦＤＭＡなどの１または複数のチャネルアクセス方式を使用することができる。例えばＲＡＮ１０４内の基地局１１４ａ、およびＷＴＲＵ１０２ａ、１０２ｂ、１０２ｃは、ユニバーサル移動体通信システム（ＵＭＴＳ）地上無線アクセス（ＵＴＲＡ）などの無線技術を実施することができ、これらは広帯域ＣＤＭＡ（ＷＣＤＭＡ（登録商標））を用いてエアインターフェース１１６を確立することができる。ＷＣＤＭＡは、高速パケットアクセス（ＨＳＰＡ）および／またはＥｖｏｌｖｅｄ  ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１７】
他の実施形態では、基地局１１４ａおよびＷＴＲＵ１０２ａ、１０２ｂ、１０２ｃは、Ｅｖｏｌｖｅｄ  ＵＭＴＳ地上無線アクセス（Ｅ−ＵＴＲＡ）などの無線技術を実施することができ、これらはロングタームエボリューション（ＬＴＥ（登録商標））および／またはＬＴＥ−Ａｄｖａｎｃｅｄ（ＬＴＥ−Ａ）を用いて、エアインターフェース１１６を確立することができる。
【００１８】
他の実施形態では、基地局１１４ａおよびＷＴＲＵ１０２ａ、１０２ｂ、１０２ｃは、ＩＥＥＥ８０２．１６（すなわちＷｉＭＡＸ（Worldwide Interoperability for Microwave Access））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭ進化型高速データレート（ＥＤＧＥ）、ＧＳＭ  ＥＤＧＥ（ＧＥＲＡＮ）などの無線技術を実施することができる。
【００１９】
図１Ａの基地局１１４ｂは、例えば無線ルータ、ホームノードＢ、ホームｅノードＢ、またはアクセスポイントとすることができ、事業所、ホーム、乗り物、キャンパス等の局所的エリアにおける、無線接続性を容易にするための任意の適切なＲＡＴを利用することができる。一実施形態では、基地局１１４ｂおよびＷＴＲＵ１０２ｃ、１０２ｄは、無線ローカルエリアネットワーク（ＷＬＡＮ）を確立するために、ＩＥＥＥ８０２．１１等の無線技術を実施することができる。他の実施形態では、基地局１１４ｂおよびＷＴＲＵ１０２ｃ、１０２ｄは、無線パーソナルエリアネットワーク（ＷＰＡＮ）を確立するために、ＩＥＥＥ８０２．１５等の無線技術を実施することができる。他の実施形態では、基地局１１４ｂおよびＷＴＲＵ１０２ｃ、１０２ｄは、ピコセルまたはフェムトセルを確立するために、セルラベースのＲＡＴ（例えばＷＣＤＭＡ、ＣＤＭＡ２０００、ＧＳＭ、ＬＴＥ、ＬＴＥ−Ａなど）を利用することができる。図１Ａに示されるように基地局１１４ｂは、インターネット１１０への直接接続を有することができる。従って基地局１１４ｂは、コアネットワーク１０６を経由してインターネット１１０にアクセスしなくてもよい。
【００２０】
ＲＡＮ１０４はコアネットワーク１０６と通信することができ、これは音声、データ、アプリケーション、および／またはＶｏＩＰ（Voice over Internet Protocol）サービスを、ＷＴＲＵ１０２ａ、１０２ｂ、１０２ｃ、１０２ｄの１または複数にもたらすように構成された任意のタイプのネットワークとすることができる。例えばコアネットワーク１０６は、呼制御、料金請求サービス、モバイル位置ベースのサービス、プリペイドコール、インターネット接続性、ビデオ配信などをもたらすことができ、および／またはユーザ認証などの高レベルセキュリティ機能を行うことができる。図１Ａに示されないが、ＲＡＮ１０４および／またはコアネットワーク１０６は、ＲＡＮ１０４と同じＲＡＴまたは異なるＲＡＴを使用する他のＲＡＮと、直接または間接に通信できることが理解されるべきである。例えば、Ｅ−ＵＴＲＡ無線技術を利用し得るＲＡＮ１０４に接続されることに加えて、コアネットワーク１０６はまた、ＧＳＭ無線技術を使用する別のＲＡＮ（図示せず）とも通信することができる。
【００２１】
コアネットワーク１０６はまた、ＰＳＴＮ１０８、インターネット１１０、および／または他のネットワーク１１２にアクセスするように、ＷＴＲＵ１０２ａ、１０２ｂ、１０２ｃ、１０２ｄのためのゲートウェイとして働くことができる。ＰＳＴＮ１０８は、従来型電話サービス（plain old telephone service）（ＰＯＴＳ）をもたらす回線交換電話ネットワークを含むことができる。インターネット１１０は、ＴＣＰ／ＩＰインターネットプロトコル群における送信制御プロトコル（ＴＣＰ）、ユーザデータグラムプロトコル（ＵＤＰ）、およびインターネットプロトコル（ＩＰ）などの共通通信プロトコルを用いる、相互接続されたコンピュータネットワークおよびデバイスの地球規模のシステムを含むことができる。ネットワーク１１２は、他のサービスプロバイダによって所有および／または運用される、有線または無線通信ネットワークを含むことができる。例えばネットワーク１１２は、ＲＡＮ１０４と同じＲＡＴまたは異なるＲＡＴを使用することができる１または複数のＲＡＮに接続された、別のコアネットワークを含むことができる。
【００２２】
通信システム１００内のＷＴＲＵ１０２ａ、１０２ｂ、１０２ｃ、１０２ｄのいくつかまたは全ては、マルチモード能力を含むことができ、すなわちＷＴＲＵ１０２ａ、１０２ｂ、１０２ｃ、１０２ｄは、異なる無線リンクを通して異なる無線ネットワークと通信する複数のトランシーバを含むことができる。例えば図１Ａに示されるＷＴＲＵ１０２ｃは、セルラベースの無線技術を使用することができる基地局１１４ａ、およびＩＥＥＥ８０２無線技術を使用することができる基地局１１４ｂと通信するように構成され得る。
【００２３】
図１Ｂは、例示的無線送受信ユニットＷＴＲＵ１０２を示す。ＷＴＲＵ１０２は、本明細書で述べられる通信システムの１または複数において用いられ得る。図１Ｂに示されるようにＷＴＲＵ１０２は、プロセッサ１１８、トランシーバ１２０、送受信要素１２２、スピーカ／マイク１２４、キーパッド１２６、ディスプレイ／タッチパッド１２８、非リムーバブルメモリ１３０、リムーバブルメモリ１３２、電源１３４、全地球測位システム（ＧＰＳ）チップセット１３６、および他の周辺装置１３８を含むことができる。ＷＴＲＵ１０２は、実施形態と一貫性を保ちながら、上記の要素の任意のサブコンビネーションを含み得ることが理解されるべきである。
【００２４】
プロセッサ１１８は、汎用プロセッサ、専用プロセッサ、従来型プロセッサ、デジタル信号プロセッサ（ＤＳＰ）、複数のマイクロプロセッサ、ＤＳＰコアに関連した１または複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などとすることができる。プロセッサ１１８は、信号符号化、データ処理、電力制御、入力／出力処理、および／またはＷＴＲＵ１０２が無線環境において動作することを可能にする任意の他の機能を行うことができる。プロセッサ１１８はトランシーバ１２０に結合されることができ、これは送受信要素１２２に結合され得る。図１Ｂはプロセッサ１１８およびトランシーバ１２０を別々の構成要素として示すが、プロセッサ１１８およびトランシーバ１２０は、電子パッケージまたはチップ内に一緒に統合され得ることが理解されるべきである。
【００２５】
送受信要素１２２は、エアインターフェース１１６を通して、基地局（例えば基地局１１４ａ）に信号を送信し、またはそれから信号を受信するように構成され得る。例えば一実施形態では送受信要素１２２は、ＲＦ信号を送信および／または受信するように構成されたアンテナとすることができる。他の実施形態では送受信要素１２２は、例えばＩＲ、ＵＶ、または可視光信号を送信および／または受信するように構成された、放射器／検出器とすることができる。他の実施形態では送受信要素１２２は、ＲＦおよび光信号の両方を送信および受信するように構成され得る。送受信要素１２２は、無線信号の任意の組み合わせを送信および／または受信するように構成され得ることが理解されるべきである。
【００２６】
さらに図１Ｂでは送受信要素１２２は単一の要素として示されるが、ＷＴＲＵ１０２は、任意の数の送受信要素１２２を含むことができる。より具体的にはＷＴＲＵ１０２は、ＭＩＭＯ技術を使用することができる。従って一実施形態ではＷＴＲＵ１０２は、エアインターフェース１１６を通して無線信号を送信および受信するための、２つ以上の送受信要素１２２（例えば複数のアンテナ）を含むことができる。
【００２７】
トランシーバ１２０は、送受信要素１２２によって送信されることになる信号を変調するように、および送受信要素１２２によって受信された信号を復調するように構成され得る。上記のようにＷＴＲＵ１０２は、マルチモード能力を有することができる。従ってトランシーバ１２０は、ＷＴＲＵ１０２が例えばＵＴＲＡおよびＩＥＥＥ８０２．１１などの複数のＲＡＴによって通信することを可能にするための、複数のトランシーバを含むことができる。
【００２８】
ＷＴＲＵ１０２のプロセッサ１１８は、スピーカ／マイク１２４、キーパッド１２６、および／またはディスプレイ／タッチパッド１２８（例えば液晶表示（ＬＣＤ）ディスプレイユニット、または有機発光ダイオード（ＯＬＥＤ）ディスプレイユニット）に結合されることができ、それらからユーザ入力データを受け取ることができる。プロセッサ１１８はまた、スピーカ／マイク１２４、キーパッド１２６、および／またはディスプレイ／タッチパッド１２８に、ユーザデータを出力することができる。さらにプロセッサ１１８は、非リムーバブルメモリ１３０および／またはリムーバブルメモリ１３２などの任意のタイプの適切なメモリからの情報にアクセスし、それにデータを記憶することができる。非リムーバブルメモリ１３０は、ＲＡＭ、ＲＯＭ、ハードディスク、または任意の他のタイプのメモリ記憶デバイスを含むことができる。リムーバブルメモリ１３２は、加入者識別モジュール（ＳＩＭ）カード、メモリスティック、セキュアデジタル（ＳＤ）メモリカードなどを含むことができる。他の実施形態ではプロセッサ１１８は、サーバまたはホームコンピュータ（図示せず）上など、物理的にＷＴＲＵ１０２上にないメモリからの情報にアクセスし、それにデータを記憶することができる。
【００２９】
プロセッサ１１８は、電源１３４から電力を受け取ることができ、ＷＴＲＵ１０２内の他の構成要素に対して電力を分配および／または制御するように構成され得る。電源１３４は、ＷＴＲＵ１０２に電力供給するための任意の適切なデバイスとすることができる。例えば電源１３４は、１または複数の乾電池（例えばニッケルカドミウム（ＮｉＣｄ）、ニッケル亜鉛（ＮｉＺｎ）、ニッケル水素（ＮｉＭＨ）、リチウムイオン（Ｌｉイオン）など）、太陽電池、燃料電池などを含むことができる。
【００３０】
プロセッサ１１８はまたＧＰＳチップセット１３６に結合されることができ、これはＷＴＲＵ１０２の現在位置に関する位置情報（例えば経度および緯度）をもたらすように構成され得る。ＧＰＳチップセット１３６からの情報に加えてまたはその代わりに、ＷＴＲＵ１０２は、エアインターフェース１１６を通して基地局（例えば基地局１１４ａ、１１４ｂ）から位置情報を受信することができ、および／または２つ以上の近くの基地局から受信される信号のタイミングに基づいてその位置を決定することができる。ＷＴＲＵ１０２は、実施形態と一貫性を保ちながら、任意の適切な位置決定方法によって位置情報を捕捉できることが理解されるべきである。
【００３１】
プロセッサ１１８はさらに他の周辺装置１３８に結合されることができ、これはさらなる特徴、機能および／または有線もしくは無線接続性をもたらす、１または複数のソフトウェアおよび／またはハードウェアモジュールを含むことができる。例えば周辺装置１３８は、加速度計、電子コンパス、衛星トランシーバ、デジタルカメラ（写真またはビデオ用）、ユニバーサルシリアルバス（ＵＳＢ）ポート、振動デバイス、テレビ送受信機、ハンズフリーヘッドセット、ブルートゥース（登録商標）モジュール、周波数変調（ＦＭ）ラジオユニット、デジタル音楽プレーヤ、メディアプレーヤ、ビデオゲームプレーヤモジュール、インターネットブラウザなどを含むことができる。
【００３２】
図１Ｃは、例示的無線ローカルエリアネットワーク（ＷＬＡＮ）デバイスを示す。デバイスの１または複数は、本明細書で述べられる特徴の１または複数を実施するために用いられ得る。ＷＬＡＮは、アクセスポイント（ＡＰ）１０２、ステーション（ＳＴＡ）１１０、およびＳＴＡ１１２を含み得るがそれらに限定されない。ＳＴＡ１１０および１１２は、ＡＰ１０２に関連付けられ得る。ＷＬＡＮはＩＥＥＥ８０２．１１通信標準の１または複数のプロトコルを実施するように構成されることができ、これはＤＳＳＳ、ＯＦＤＭ、ＯＦＤＭＡなどのチャネルアクセス方式を含み得る。ＷＬＡＮはあるモード、例えばインフラストラクチャモード、アドホックモードなどにおいて動作し得る。
【００３３】
インフラストラクチャモードで動作するＷＬＡＮは、１または複数の関連付けられたＳＴＡと通信する１または複数のＡＰを備え得る。ＡＰ、およびＡＰに関連付けられたＳＴＡは、基本サービスセット（ＢＳＳ）を備え得る。例えばＡＰ１０２、ＳＴＡ１１０、およびＳＴＡ１１２はＢＳＳ１２２を備え得る。拡張サービスセット（ＥＳＳ）は、１または複数のＡＰ（１または複数のＢＳＳを有する）、およびＡＰに関連付けられたＳＴＡを含み得る。ＡＰは分配システム（ＤＳ）１１６へのアクセスおよび／またはそれへのインターフェースを有することができ、これは有線および／または無線とすることができ、ＡＰへのおよび／またはそれからのトラフィックを運ぶことができる。ＷＬＡＮの外部から生じたＷＬＡＮ内のＳＴＡへのトラフィックはＷＬＡＮ内のＡＰにおいて受信されることができ、それはＷＬＡＮ内のＳＴＡにトラフィックを送ることができる。ＷＬＡＮ内のＳＴＡから生じた、ＷＬＡＮの外部の宛先、例えばサーバ１１８へのトラフィックはＷＬＡＮ内のＡＰに送られることができ、それはトラフィックを宛先に、例えばＤＳ１１６を経由してサーバ１１８に送られるようにネットワーク１１４に送ることができる。ＷＬＡＮ内のＳＴＡ間のトラフィックは、１または複数のＡＰを通じて送られ得る。例えばソースＳＴＡ（例えばＳＴＡ１１０）は、宛先ＳＴＡ（例えばＳＴＡ１１２）を目的としたトラフィックを有し得る。ＳＴＡ１１０はトラフィックをＡＰ１０２に送ることができ、ＡＰ１０２はトラフィックをＳＴＡ１１２に送ることができる。
【００３４】
ＷＬＡＮはアドホックモードで動作することができる。アドホックモードＷＬＡＮは、独立基本サービスセット（ＩＢＳＳ）と呼ばれ得る。アドホックモードＷＬＡＮでは、ＳＴＡは互いに直接通信することができる（例えばＳＴＡ１１０はＳＴＡ１１２と、このような通信がＡＰを通じて経路指定されずに、通信することができる）。
【００３５】
ＩＥＥＥ８０２．１１デバイス（例えばＢＳＳにおけるＩＥＥＥ８０２．１１  ＡＰ）は、ビーコンフレームを用いてＷＬＡＮネットワークの存在をアナウンスすることができる。ＡＰ１０２などのＡＰはチャネル、例えばプライマリチャネルなどの固定チャネル上にビーコンを送信することができる。ＳＴＡは、プライマリチャネルなどのチャネルを用いて、ＡＰとの接続を確立することができる。
【００３６】
ＳＴＡおよび／またはＡＰは、キャリア検知多重アクセス／衝突回避（ＣＳＭＡ／ＣＡ）チャネルアクセス機構を用いることができる。ＣＳＭＡ／ＣＡにおいてＳＴＡおよび／またはＡＰは、プライマリチャネルを検知することができる。例えばＳＴＡが送るためのデータを有する場合は、ＳＴＡはプライマリチャネルを検知することができる。プライマリチャネルがビジーであることが検出された場合は、ＳＴＡは撤回することができる。例えばＷＬＡＮまたはその一部分は、例えば所与のＢＳＳ内で、所与の時点において１つのＳＴＡが送信し得るように構成され得る。チャネルアクセスは、ＲＴＳおよび／またはＣＴＳシグナリングを含み得る。例えば送出要求（ＲＴＳ）フレームの交換は送出デバイスによって送信されることができ、および送出許可（ＣＴＳ）フレームは受信デバイスによって送られ得る。例えばＡＰがＳＴＡに送るためのデータを有する場合、ＡＰはＲＴＳフレームをＳＴＡに送ることができる。ＳＴＡがデータを受信する準備が整った場合は、ＳＴＡはＣＴＳフレームにより応答し得る。ＣＴＳフレームは、ＲＴＳを開始したＡＰがデータを送信し得る間、媒体にアクセスするのを見合わせるように他のＳＴＡに警告し得る時間値を含むことができる。ＳＴＡからＣＴＳフレームを受信するとすぐに、ＡＰはＳＴＡにデータを送ることができる。
【００３７】
デバイスは、ネットワーク割り当てベクトル（ＮＡＶ）フィールドによって、スペクトルを予約することができる。例えばＩＥＥＥ８０２．１１フレームでは、ある期間チャネルを予約するためにＮＡＶフィールドが用いられ得る。データを送信したいＳＴＡはＮＡＶを、それがチャネルを使用することを予想し得る時間に、設定することができる。ＳＴＡがＮＡＶを設定するときは、ＮＡＶは、関連付けられたＷＬＡＮまたはそのサブセット（例えばＢＳＳ）に対して設定され得る。他のＳＴＡは、ＮＡＶをゼロにカウントダウンすることができる。カウンタがゼロの値に達したとき、ＮＡＶ機能は今はチャネルが利用可能であることを、他のＳＴＡに知らせることができる。
【００３８】
ＡＰまたはＳＴＡなどのＷＬＡＮ内のデバイスは以下の１または複数を含み得る：プロセッサ、メモリ、無線受信機および／または送信機（例えばトランシーバに組み合わされ得る）、１または複数のアンテナ（例えば図１Ｃのアンテナ１０６）など。プロセッサ機能は１または複数のプロセッサを備え得る。例えばプロセッサは、汎用プロセッサ、専用プロセッサ（例えばベースバンドプロセッサ、ＭＡＣプロセッサなど）、デジタル信号プロセッサ（ＤＳＰ）、特定用途向け集積回路（ＡＳＩＣ）、フィールドプログラマブルゲートアレイ（ＦＰＧＡ）回路、任意の他のタイプの集積回路（ＩＣ）、状態機械などの１または複数を備え得る。１または複数のプロセッサは、互いに統合されても統合されなくてもよい。プロセッサ（例えば１または複数のプロセッサまたはそのサブセット）は、１または複数の他の機能（例えばメモリなどの他の機能）と統合され得る。プロセッサは、信号符号化、データ処理、電力制御、入力／出力処理、変調、復調、および／またはデバイスが図１ＣのＷＬＡＮなどの無線環境において動作することを可能にする任意の他の機能を行うことができる。プロセッサは、例えばソフトウェアおよび／またはファームウェア命令を含む、プロセッサ実行可能コード（例えば命令）を実行するように構成され得る。例えばプロセッサは、プロセッサ（例えばメモリおよびプロセッサを含んだチップセット）またはメモリの１または複数上に含まれた、コンピュータ可読命令を実行するように構成され得る。命令の実行はデバイスに、本明細書で述べられる機能の１または複数を行わせることができる。
【００３９】
デバイスは１または複数のアンテナを含み得る。デバイスは多入力多出力（ＭＩＭＯ）技法を使用し得る。１または複数のアンテナは無線信号を受信し得る。プロセッサは、例えば１または複数のアンテナを経由して無線信号を受信することができる。１または複数のアンテナは無線信号を送信することができる（例えばプロセッサから送られた信号に基づいて）。
【００４０】
デバイスは、プロセッサ実行可能コードまたは命令（例えばソフトウェア、ファームウェアなど）、電子データ、データベース、または他のデジタル情報などの、プログラミングおよび／またはデータを記憶するための１または複数のデバイスを含み得るメモリを有し得る。メモリは１または複数のメモリユニットを含み得る。１または複数のメモリユニットは、１または複数の他の機能（例えば、プロセッサなどのデバイスに含まれた他の機能）と統合され得る。メモリは、読み出し専用メモリ（ＲＯＭ）（例えば消去可能プログラマブル読み出し専用メモリ（ＥＰＲＯＭ）、電気的消去可能プログラマブル読み出し専用メモリ（ＥＥＰＲＯＭ）など）、ランダムアクセスメモリ（ＲＡＭ）、磁気ディスク記憶媒体、光記憶媒体、フラッシュメモリデバイス、および／または情報を記憶するための他の非一時的コンピュータ可読媒体を含み得る。メモリはプロセッサに結合され得る。プロセッサは、例えばシステムバスを経由して、または直接にメモリの１または複数のエンティティと通信することができる。
【００４１】
インフラストラクチャ基本サービスセット（ＩＢＳＳ）モードでのＷＬＡＮは、基本サービスセット（ＢＳＳ）のためのアクセスポイント（ＡＰ）、およびＡＰに関連付けられた１または複数のステーション（ＳＴＡ）を有することができる。ＡＰは、分配システム（ＤＳ）、またはＢＳＳ内のまたはそれから外へのトラフィックを運ぶことができる他のタイプの有線／無線ネットワークへの、アクセスまたはインターフェースを有し得る。ＳＴＡへのトラフィックは、ＢＳＳの外部から生じることができ、ＡＰを通して到着することができ、ＳＴＡに届けられ得る。ＳＴＡから生じる、ＢＳＳの外部の宛先へのトラフィックは、それぞれの宛先に届けられるようにＡＰに送られ得る。ＢＳＳ内のＳＴＡ間のトラフィックはＡＰを通じて送られることができ、ソースＳＴＡはトラフィックをＡＰに送ることができ、ＡＰはトラフィックを宛先ＳＴＡに届けることができる。ＢＳＳ内のＳＴＡ間のトラフィックはピアツーピアトラフィックとすることができる。このようなピアツーピアトラフィックは例えば、ＩＥＥＥ８０２．１１ｅ  ＤＬＳまたはＩＥＥＥ８０２．１１ｚトンネルＤＬＳ（ＴＤＬＳ）を用いた直接リンクセットアップ（ＤＬＳ）により、ソースおよび宛先ＳＴＡの間で直接送られ得る。独立ＢＳＳ（ＩＢＳＳ）モードを用いたＷＬＡＮはＡＰをもたなくてもよく、ＳＴＡは互いに直接通信することができる。この通信のモードはアドホックモードとすることができる。
【００４２】
ＩＥＥＥ８０２．１１インフラストラクチャ動作モードを用いてＡＰは、固定チャネル、例えばプライマリチャネルにおいてビーコンを送信することができる。このチャネルは２０ＭＨｚ幅とすることができ、ＢＳＳの動作チャネルとすることができる。このチャネルはまた、ＡＰとの接続を確立するために、ＳＴＡによって用いられ得る。ＩＥＥＥ８０２．１１システムにおけるチャネルアクセスは、キャリア検知多重アクセス／衝突回避（ＣＳＭＡ／ＣＡ）とすることができる。インフラストラクチャ動作モードでは、各ＳＴＡはプライマリチャネルを検知することができる。ＳＴＡはチャネルがビジーであることを検出した場合は、ＳＴＡは撤回することができる。１つのＳＴＡは、所与のＢＳＳ内で任意の時点で送信し得る。
【００４３】
世界中の様々な国において、ＷＬＡＮなどの無線通信システムのために、専用のスペクトルが割り当てられ得る。割り当てられたスペクトル（例えば１ＧＨｚ未満）は、サイズおよびチャネル帯域幅において制限され得る。スペクトルは断片化され得る。利用可能なチャネルは隣接していない場合があり、より大きな帯域幅送信のために組み合わされ得ない。例えばＩＥＥＥ８０２．１１標準において構築されたＷＬＡＮシステムは、このようなスペクトルにおいて動作するように設計され得る。このようなスペクトルの制限を前提としてＷＬＡＮシステムは、ＨＴおよび／またはＶＨＴ  ＷＬＡＮシステム（例えばＩＥＥＥ８０２．１１ｎおよび／または８０２．１１ａｃ標準に基づく）と比較して、より小さな帯域幅およびより低いデータレートをサポートすることが可能となり得る。
【００４４】
１または複数の国において、スペクトル割り当ては制限され得る。例えば中国では４７０〜５６６および６１４〜７８７ＭＨｚ帯域は、１ＭＨｚ帯域幅を許容する。１ＭＨｚ帯域幅に加えて、１ＭＨｚモードを有する２ＭＨｚがサポートされ得る。８０２．１１ａｈ物理層（ＰＨＹ）は、１、２、４、８、および１６ＭＨｚ帯域幅をサポートし得る。
【００４５】
ＷＬＡＮシステム例えばＩＥＥＥ８０２．１１ａｃは、スペクトル効率を改善するために用いられ得る。例えばＩＥＥＥ８０２．１１ａｃベースのシステムは、同じシンボルの時間フレーム内で、例えばダウンリンクＯＦＤＭシンボルの間に、複数のＳＴＡに対してダウンリンクマルチユーザＭＩＭＯ（ＭＵ−ＭＩＭＯ）送信を用いることができる。このようなダウンリンクＭＵ−ＭＩＭＯは、他のＷＬＡＮシステム、例えばＩＥＥＥ８０２．１１ａｈシステムでも用いられ得る。例えばＩＥＥＥ８０２．１１ａｃシステムにおいて用いられるダウンリンクＭＵ−ＭＩＭＯは、複数のＳＴＡに対して同じシンボルタイミングを用いることができる。このような構成は、複数のＳＴＡへの干渉送信を軽減するために用いられ得る。ＡＰとのＭＵ−ＭＩＭＯ送信に関わるＳＴＡのそれぞれは、同じチャネルまたは帯域を用いることができる。このような同じチャネルまたは帯域の使用は、動作帯域幅を、ＡＰとのＭＵ−ＭＩＭＯ送信に含まれるＳＴＡによってサポートされる最小のチャネル帯域幅に制限し得る。
【００４６】
ＩＥＥＥ８０２．１１ａｃベースのシステムでは、より高い帯域幅を達成するために複数のチャネルが組み合わされ得る。例えば８個までの隣接した２０ＭＨｚチャネル、または２つの隣接していない８０ＭＨｚチャネルが、１６０ＭＨｚ帯域幅をもたらすために用いられ得る。ＩＥＥＥ８０２．１１ａｃ送信は、送信および／または受信のために割り当てられた帯域幅の使用を前提とし得る。ＷＬＡＮシステム例えばＩＥＥＥ８０２．１１ａｘでは、ＩＥＥＥ８０２．１１ａｃベースのシステムの性能、例えばスペクトル効率、エリアスループット、衝突に対するロバスト性、干渉管理などがさらに強化され得る。例えばＯＦＤＭＡ送信が用いられ得る。しかしＷｉ−Ｆｉに対するＯＦＤＭＡの直接の適用は、下位互換性の問題を生ぜしめ得る。従ってＷｉ−Ｆｉ下位互換性問題、およびチャネルベースのリソースケジューリングによって引き起こされ得る潜在する非効率性を軽減するために、ＯＦＤＭＡによる協調直交ブロックベースリソース割り当て（ＣＯＢＲＡ：Coordinated Orthogonal Block-based Resource Allocation）が用いられ得る。例えばＣＯＢＲＡは、複数のより小さな周波数−時間リソース単位にわたる送信を可能にする。従って複数のユーザに、重複しない周波数−時間リソース単位が割り当てられることができ、同時に送信および受信することが可能にされ得る。ＡＰがＳＴＡに対して割り当て得る基本周波数リソース単位として、サブチャネルが定義され得る。例えば８０２．１１ｎ／ａｃベースのシステムとの下位互換性のために、２０ＭＨｚチャネルとして定義されたサブチャネルが用いられ得る。
【００４７】
ＣＯＢＲＡは、送信および符号化方式のための基盤として、マルチキャリア変調、フィルタリング、時間、周波数、空間および偏波領域の１または複数を含むことができる。例えばＣＯＢＲＡ方式は、ＯＦＤＭＡサブチャネル化、ＳＣ−ＦＤＭＡサブチャネル化またはフィルタバンクマルチキャリアサブチャネル化の１または複数を用いることができる。
【００４８】
ＣＯＢＲＡ送信を可能にするために、以下の１または複数がもたらされ得る：カバレッジ範囲拡張、ユーザのグループ化、チャネルアクセス、低オーバヘッドのプリアンブル、ビーム形成およびサウンディング、周波数およびタイミング同期、リンクアダプテーション。
【００４９】
ＣＯＢＲＡのためのタイミングおよび周波数同期がもたらされ得る。マルチユーザおよび単一ユーザ複数並列（ＭＵ−ＰＣＡ）チャネルアクセス方式がもたらされ得る。ＭＵ−ＰＣＡは、対称帯域幅による送信／受信を用いたマルチユーザ／単一ユーザ並列チャネルアクセス、および／または非対称帯域幅によるマルチユーザ／単一ユーザ並列チャネルアクセス送信／受信をもたらすことができる。
【００５０】
対称帯域幅による送信／受信を用いたマルチユーザ／単一ユーザ並列チャネルアクセスはさらに、複数／単一ユーザのためのダウンリンク並列チャネルアクセス、複数／単一ユーザのためのアップリンク並列チャネルアクセス、複数／単一ユーザのための複合型ダウンリンクおよびアップリンク並列チャネルアクセス、またはＳＵ−ＰＣＡおよびＣＯＢＲＡのための不等のＭＣＳおよび不等の送信電力の１または複数をもたらすことができる。対称帯域幅による送信／受信を用いたマルチユーザ／単一ユーザ並列チャネルアクセスはさらに、物理層（「ＰＨＹ」）設計、および／またはＭＡＣ／ＰＨＹマルチユーザ並列チャネルアクセスをもたらすことができる。
【００５１】
非対称帯域幅によるマルチユーザ／単一ユーザ並列チャネルアクセス送信／受信はさらに、非対称帯域幅による送信／受信を用いたマルチユーザ／単一ユーザ並列チャネルアクセスのための、ダウンリンク、アップリンク、並びに複合型アップリンクおよびダウンリンクのためのＭＡＣ設計、および／または非対称帯域幅による送信／受信を用いたマルチユーザ／単一ユーザ並列チャネルアクセスをサポートするためのＰＨＹ設計をもたらすことができる。
【００５２】
物理層送信機設計は、単一ユーザ送信をもたらし得る。例において物理層送信機はまた、ダウンリンクマルチユーザ送信をもたらすことができ、そこでは複数のユーザは、空間的マッピングによって互いに区別され得る。例えばＩＥＥＥ８０２．１１ａｃベースのシステムでは、複数のＳＴＡ（例えば４つのＳＴＡ）までを用いたダウンリンクＭＵ−ＭＩＭＯ送信がもたらされ得る。
【００５３】
８０２．１１ベースのシステムでは、時間スロットにおける単一のＳＴＡへの送信および／またはそれからの受信がもたらされ得る。例えばＩＥＥＥ８０２．１１ａｃベースのシステムでのマルチユーザＭＩＭＯ送信は、複数のユーザに対する同時送信を可能にするために、空間ダイバーシティを利用することができる。このような構成では、単一ユーザ送信のための物理層送信および／または受信設計がもたらされ得る。例えばＯＦＤＭＡのようなマルチユーザアクセス送信（例えばＣＯＢＲＡ送信）に基づくシステムにおいてＳＴＡは、同時送信のために異なる周波数のサブチャネルを用いることができる。特定のＣＯＢＲＡグループのためのマルチユーザアクセス送信ＳＴＡは、個々のＳＴＡの間のキャリア周波数、サンプリング周波数、タイミングオフセット、または送信電力オフセット差の１または複数に対処するための用意を含むことができる。これらの用意は、１または複数のサブチャネル上のマルチユーザ送信および受信をサポートするためにもたらされ得る。複数のユーザの間でのＣＯＢＲＡリソース割り当て方式を利用するシステムは、強化型トランシーバを用いることができる。
【００５４】
ダウンリンクおよび／またはアップリンク（ＵＬ）ＣＯＢＲＡ送信における複数の送信機（ＳＴＡ）および受信機（ＡＰ）のためのサポートをもたらし得る、トランシーバ（例えばＣＯＢＲＡ対応トランシーバ）が開示される。トランシーバは本明細書で述べられる特徴の１または複数を備えることができる。トランシーバは、同時送信のためにスケジュールされたマルチユーザグループ内のＳＴＡのそれぞれに対する同期キャリア周波数、同期タイミング、または送信電力整合の１または複数を可能にし得る。トランシーバは、アップリンク送信機（例えばアップリンクＣＯＢＲＡ送信機）、および／または受信機（例えばＣＯＢＲＡ受信機）を含むことができる。送信機および受信機は、広帯域ＣＯＢＲＡチャネルのセット、およびＣＯＢＲＡサブチャネルのそれぞれにおいて動作する能力を有すると想定され得る。
【００５５】
図２は、例示の送信機２００（例えばＵＬ  ＣＯＢＲＡ送信機）を示す。図２に示されるようにＵＬ  ＣＯＢＲＡ送信機２００は以下の１または複数を含む、および／または行うことができる：ＦＥＣエンコーダ２０２（例えばＦＥＣエンコーディングを行うことができる）、変調２０４（例えばこれは変調器によって行われ得る）、周波数マッピング２０６、逆ＦＦＴ２０８、サイクリックプレフィックス２１０、キャリア周波数オフセット（ＣＦＯ）事前補正２１２、電力制御２１４、ウィンドウ処理２１６、サンプリングレート変換２１８、デジタル−アナログ変換器またはＤＡＣ２２０、電力増幅器２２２、またはタイミングアドバンス／遅延２２４など。
【００５６】
ＵＬ  ＣＯＢＲＡはまた、ＵＬ  ＭＵ−ＯＦＤＭＡＦＤＭＡ、および／またはＵＬ  ＭＵ−ＣＯＢＲＡと呼ばれ得る。
【００５７】
図２に示されるようにＵＬ  ＣＯＢＲＡシステムでは、複数の送信機（例えば複数のユーザのための複数の送信機）が同時に送信することができる。送信機のそれぞれは、同じキャリア周波数および／またはサンプリング周波数を用いて、例えば信号のそれぞれを正しく受信および復号することができる。送信された信号のそれぞれは、同じ個々の受信電力を有して、同時に受信機に到着し得る。実際にはそうでない場合がある。信号は、実際の条件（例えばノイズおよび／または干渉）に対して補償するように調整され得る。トランシーバブロック（例えば機能）の１または複数は、実際の条件に対して補償するのに役立つことができる。ブロックは、電力制御ブロック、タイミングアドバンスブロック、サンプリングレート変換ブロック、またはキャリア周波数オフセットブロックの１または複数を含むことができる。
【００５８】
電力制御ブロックは、考察している送信機からのＡＰにおける受信された受信電力レベルが、他の送信機からのＡＰにおける受信電力レベルと同等および／または同一になるように、送信機（例えば送信ステーション）の送信電力を変更することができる。例えば、ＡＰは本明細書で開示されるように、ステーションにその送信電力を調整するように命令（例えば送信構成とすることができる構成）を送ることができる。
【００５９】
タイミングアドバンスブロックがもたらされ得る。タイミングアドバンスブロックは、例えば信号がＡＰにおいてサイクリックプレフィックス内で受信されるように、送信を調整することができる。送信機のそれぞれに対して、タイミングアドバンス値（例えば各送信機に対する異なるタイミングアドバンス値）が適用され得る。タイミングアドバンスはデータ交換から推定されることができ、例えばＡＰは、送信時間と、各ＳＴＡからの受信された肯定応答（「ＡＣＫ」）との間のラウンドトリップ遅延を測定することによって、個々にＳＴＡのアップリンクタイミング遅延を推定することができる。サンプリングレート変換ブロックは、例えばＡＰに対して、ＳＴＡにおける、より速いまたは遅いクロックを補償するように、送信された信号に対してサンプルをスキップするおよび／または追加することができる。
【００６０】
キャリア周波数オフセット（ＣＦＯ）事前補正ブロックは、送信機によって経験されるＣＦＯを事前補正することができる。ＣＦＯは、受信機と考察している送信機との間のキャリア周波数オフセットとして定義され得る。ＣＦＯの事前補正は、前のダウンリンクセッションから推定されることができ、例えば各デバイスは、ダウンリンクヘッダフィールドおよび／またはパイロットを用いて個々にＣＦＯを推定する。
【００６１】
送信電力制御およびレートアダプテーションがもたらされ得る。複数のＳＴＡが共通のＡＰに対して同時に送信するとき、例えば異なる経路損失および／またはシャドーイングのために、受信される信号のレベルは異なり得る。近くのＳＴＡからの信号は高い信号レベルを有して受信されることができ、一方、遠く離れたＳＴＡからの信号は弱い信号レベルを有して受信され得る。このような信号レベルの差は、複合された受信された信号から、弱い信号（例えば弱いショート／ロングトレーニングフィールド）を回復することを難しくし得る。このような信号レベルにおける差を補償するために、送信電力制御がもたらされ得る。例えば遠く離れたＳＴＡはその送信電力を増加することができ、近くのＳＴＡはその送信電力レベルを低減することができる。このような送信電力レベルの調整により、異なるＳＴＡからの信号は同様な電力レベルを有して受信機に到着し得る。
【００６２】
図３は、送信機会（「ＴＸＯＰ」）においてマルチユーザ通信のためにスケジュールされ、および／または識別されているＳＴＡのグループに対して用いられ得る、例示的１チャネルアクセス機構を示す。以下の１または複数が当てはまり得る。図３に示されるようにＡＰ（例えばＣＯＢＲＡ  ＡＰ）３００は、グループに属し得るＳＴＡ３０４、３０６のそれぞれのＣＯＢＲＡポール３０２を行って、ＳＴＡが送るべきデータを有し得ることを決定することができる。ＣＯＢＲＡポールフレーム３０２内で、ＡＰは目的とするＳＴＡに、それらの送信電力、および電力制御のために用いられ得る他のメトリック、例えば送信アンテナ利得、送信ヘッドルームなどを報告するように要求することができる。ＡＰは包括的マージンインデックスを要求することができる。包括的マージンインデックスは、電力制御のために用いられるメトリックのそれぞれを含み得る。ＡＰはＣＯＢＲＡポールフレーム３０２内で、ＳＴＡは帯域幅全体または割り当てられたサブチャネルの送信電力レベルを報告するべきであることを示すことができる。
【００６３】
ＳＴＡのそれぞれはＣＯＢＲＡ応答フレーム３０８、３１０内で、その送信電力および／または他のメトリックまたは包括的マージンインデックスを報告することができる。例えばＳＴＡがＣＯＢＲＡ応答フレーム３０８、３１０を帯域幅全体にわたって送信する場合は、ＳＴＡは送信電力および／または関連するメトリックを帯域全体にわたって報告することができる。例えばＳＴＡがサブチャネルにわたってまたはいくつかのサブチャネルにわたって送信する場合は、ＳＴＡは送信電力および関連するメトリックを動作サブチャネルにわたって報告することができる。ＳＴＡは、それに割り振られたサブチャネルの送信電力および／または関連するメトリックを報告することができる。ＣＯＢＲＡ応答フレーム３０８、３１０では、報告される送信電力および／または関連するメトリックが、帯域幅全体に対するものか、１または複数のサブチャネルに対するものかを示すために、１または複数のビットが利用され得る。
【００６４】
ＡＰは、ＳＴＡのそれぞれに対する応答フレームの測定、例えばＲＳＳＩを行うことができる。測定されたＲＳＳＩは、帯域幅全体に対するもの、または用いられることになるＣＯＢＲＡ／ＯＦＤＭＡリソースに対するものとすることができる。ＲＳＳＩ測定がＣＯＢＲＡ／ＯＦＤＭＡ周波数またはサブチャネルリソースに対するものである場合は、測定はサブチャネルＲＳＳＩと呼ばれ得る。ＡＰは、ＳＴＡがその送信電力を増加または低減するべきかどうか、およびＳＴＡがどれだけ送信電力を調整するべきであるかを決定することができる。ＡＰはこのような決定を例えば、測定されたＲＳＳＩ、サブチャネルＲＳＳＩ、報告された送信電力、報告された送信電力ヘッドルームおよび／または他のマージンを用いることによって行うことができる。ＳＴＡは、必要な送信電力を、例えばＡＰによってもたらされる情報を用いて計算することができる。ユーザ電力制御は、ＣＯＢＲＡデータ送信に当てはまり得る。ユーザ電力制御は、例えば電力制御がＣＯＢＲＡスケジュールフレーム内でシグナリングされない場合は、ＣＯＢＲＡデータフレームに当てはまり得る。ＲＳＳＩ測定は、割り振られたサブチャネルまたは帯域幅全体に対して適用され得る。
【００６５】
ＡＰは、ＳＴＡのそれぞれまたはＳＴＡのグループに対する所望の送信電力を、ＣＯＢＲＡスケジュールフレーム（例えば現在ＣＯＢＲＡスケジュールフレーム）３１２内で送ることができる。送信電力値は、ＳＴＡに対する正確な送信電力、またはＳＴＡがそれだけその電力を調整できる値とすることができる。送信電力値は、ＳＴＡの最大送信電力能力、または事前に構成された最大送信電力によって制限され得る。ＡＰは、例えば電力整合がスケジュールされている現在のＳＴＡのグループにより満足され得ないとき、または他のグループ化方針が適用されるときは、ＵＬ  ＣＯＢＲＡグループを再評価することができる。ＣＯＢＲＡポールおよび応答フレームは、上述のようなＴＰＣ要求、ＴＰＣ応答、およびＴＰＣ調整を行うために追加のフィールドを含むことができる。
【００６６】
図３に示されるような１チャネルアクセス機構は、ＡＰと、各ＳＴＡまたはＳＴＡのグループとの間の他のチャネルアクセス方式、または他の１対１フレーム交換マッピングにより適用され得る。各ＳＴＡに対してスケジュールされた変調および符号化方式（ＭＣＳ）は、同じものまたは異なるものとすることができる。
【００６７】
タイミング同期オフセットがもたらされ得る。アップリンクＭＵ−ＭＩＭＯでは、複数のステーションが一緒に送信することができる（例えば同時送信）。送信されたパケットは、例えばＡＰは、ＳＴＡのそれぞれから異なるラウンドトリップ伝搬遅延および／または処理遅延を有し得るので、受信機（例えばＡＰ）に互いに異なる時刻に到着し得る。タイミングアドバンスは、この問題を緩和するために用いられ得る。例えば大きな伝搬遅延を有するＳＴＡは早く送信を開始することができ、一方、小さな伝搬を経験するＳＴＡはもっと後に送信を開始することができる。ＡＰは、ＳＴＡに対して送信時間および応答時間を測定することができる。ＳＴＡは送信時間を、肯定応答（ＡＣＫ）をＡＰに送るために用いることができる。ＡＰは各ＳＴＡに対する伝搬遅延のリストを維持することができる。ＡＰは、このリストおよび／または本明細書で述べられる他の要因を、その後の関連付けられたＵＬ−ＣＯＢＲＡ送信のために一緒にグループ化するためのＳＴＡ識別のために用いることができる。ＡＰはこの情報を用いて、ＳＴＡのそれぞれまたはＳＴＡのグループのために必要な時間前進（time advance）を推定することができる。この情報は、例えばアクションフレーム内で各ＳＴＡに送られることができ、送信３１４の開始の表示をもたらす。
【００６８】
図３に示されるように、例示的チャネルアクセス方式を用いた時間同期がもたらされることができ、これは以下の１または複数を含み得る。ＡＰ（例えばＣＯＢＲＡ  ＡＰ）は、例えばＳＴＡが送るべきデータを有することを決定するために、ＳＴＡ（例えばグループに属するＳＴＡ）のそれぞれのＣＯＢＲＡポール３０２を行うことができる。ＣＯＢＲＡポールフレーム内でＡＰは、応答フレームのタイムスタンプを報告するように、目的とするＳＴＡに要求することができる。ＣＯＢＲＡ応答フレーム３０８、３１０内で、ｋ番目のＳＴＡは、それ自体のタイムスタンプＴ０kを報告することができる。ＡＰは、ｋ番目のＳＴＡに対する到着時間をＴ１kとして記録することができる。Ｔ０k、Ｔ１k、および送信順序、およびＣＯＢＲＡ応答フレームの持続時間に従ってＡＰは、ｋ番目のＳＴＡの伝搬遅延および処理遅延の合計を決定することができ、それをΔkとして記録することができる。ＡＰは、Δk、ｋ＝１，・・・，Ｋのそれぞれを収集することができ、ＳＴＡのそれぞれに対するタイミング補正Ｔkを決定し得る。Ｔkの正の値は時間遅延を表すことができ、負の値は時間前進を表すことができ、またはその逆となる。ＡＰは、Ｔkを量子化し、量子化されたＴkをＳＴＡに、例えばＣＯＢＲＡスケジュールフレーム３１２内で送ることができる。ＳＴＡはＴkを受信し、図２に示されるようにタイミング遅延またはアドバンスを適用することができる。ＡＰは、タイミング補正が現在のＳＴＡのグループにより満足され得ないとき（例えばＳＴＡ間の時間差が大きすぎるとき）、または別のグループ化方針が適用されるときは、ＵＬ  ＣＯＢＲＡグループを再定義することができる。上述の時間同期では、タイミング補正のために一方向遅延が利用され得る。
【００６９】
ＡＰは、送信ラウンドトリップ遅延を利用してタイミング補正を計算することができる。ラウンドトリップ遅延を利用した時間同期がもたらされることができ、これは以下の１または複数を含み得る。ＡＰは、ＳＴＡのそれぞれのＣＯＢＲＡポール３０２を行い、ＣＯＢＲＡポールフレームのタイムスタンプをＴＯとして記録することができる。ｋ番目のＳＴＡは、例えばＣＯＢＲＡ応答フレーム３０８、３１０を用いて、ポールフレームに返答することができる。ＡＰは応答フレームの到着時間を記録することができる。ｋ番目のＳＴＡの送信順序、およびＣＯＢＲＡポールの持続時間、およびＣＯＢＲＡ応答フレームに従ってＡＰは、ＣＯＢＲＡ応答フレームの到着時間を推定することができる。推定された到着時間と実際の到着時間の差を用いてＡＰは、ｋ番目のＳＴＡの伝搬および処理遅延をΔkとして推定することができる。ＡＰは、Δk、ｋ＝１，・・・，Ｋのそれぞれを収集し、ＳＴＡのそれぞれに対するタイミング補正Ｔkを決定することができる。Ｔkの正の値は時間遅延を表すことができ、負の値は時間前進を表すことができ、またはその逆となる。ＡＰは、Ｔkを量子化し、量子化されたＴkをＳＴＡに、ＣＯＢＲＡスケジュールフレーム３１２内で送ることができる。ＳＴＡはＴkを受信し、図２に示されるようにタイミング遅延またはアドバンスを行うことができる。ＡＰは、（例えばタイミング補正が現在のＳＴＡのグループにより満足され得ないとき（例えばＳＴＡ間の時間差が大きすぎるとき）、または別のグループ化方針が適用されるとき）、ＵＬ  ＣＯＢＲＡまたはＵＬ  ＭＵ−ＭＩＭＯグループを再定義することができる。上述の時間同期の例は、図３に示されるようなアップリンクチャネルアクセス方式に基づくことができる。時間同期は、ＡＰと、各ＳＴＡまたはＳＴＡのグループとの間の他のチャネルアクセス方式、または他の１対１フレーム交換マッピングにより適用され得る。
【００７０】
サンプリング周波数オフセットがもたらされ得る。ＳＴＡ（例えば送信するＳＴＡおよび／または受信するＡＰを含む）のそれぞれは、その局部発振器およびクロック信号を制御された発振器から引き出し得る。これは発振器不整合に繋がる場合があり、送信機と受信機の間にキャリア周波数オフセット（ＣＦＯ）およびサンプリングクロックオフセット（ＳＣＯ）を引き起こし得る。１つの送信機が関わる８０２．１１システムにおいてＳＣＯは、正規の間隔内で時間領域においてサンプルを奪うおよび／またはスキップする（例えば受信機サンプリングクロックの方が遅い場合）または詰め込むおよび／または追加する（例えば受信機サンプリングクロックの方が速い場合）ことによって、受信機において補正され得る。
【００７１】
同様なプロセスは、例えばＵＬ  ＣＯＢＲＡまたはＵＬ  ＭＵ−ＭＩＭＯに対して、送信機側においてもたらされ得る。例えばＳＴＡのそれぞれは、例えば、ＡＰからダウンリンクデータ／制御フレーム（例えばビーコンフレーム）を受信することによって、別々にＡＰの基準サンプリングクロックを推定することができる。ＳＴＡのそれぞれは、正規の間隔内で時間領域においてサンプルを奪うおよび／またはスキップする（例えば送信機サンプリングクロックの方が速い場合）または詰め込むおよび／または追加する（例えば送信機サンプリングクロックの方が遅い場合）ことによって、送信機側においてＳＣＯを事前補正することができる。ＩＥＥＥ８０２．１１ベースの受信機からのＳＣＯ補正における同じロジックが、再使用され得る。
【００７２】
キャリア周波数オフセット（ＣＦＯ）がもたらされ得る。８０２．１１での単一送信機−単一受信機送信においてＣＦＯは、受信機側で推定および／または補正され得る。複数の受信機が存在するダウンリンクＣＯＢＲＡに対して、異なる受信機はＣＦＯ推定および補正を別々に適用することができる。
【００７３】
ＵＬ  ＣＯＢＲＡでは、複数のユーザからの共同の時間領域信号からのＣＦＯの検出は、不十分となり得る。および高いＣＦＯ値は、ユーザ間干渉を生じ得る。多段階ＣＦＯ補正がもたらされ得る。多段階ＣＦＯ補正は、このような問題に対処し得る。ＣＦＯ補正は、送信機側および／または受信機側において適用され得る。図３に示されるように、例としてアップリンクチャネルアクセス方式を用いて、送信機側でＣＦＯ補正が行われることができ、これは以下の１または複数を含み得る。ＡＰ（例えばＣＯＢＲＡ  ＡＰ）は、例えばＣＯＢＲＡポールフレームを用いて、ＳＴＡのそれぞれのＣＯＢＲＡポールを行うことができる。ＣＯＢＲＡポールフレーム内でＡＰは、目的とするＳＴＡに、ＡＰとＳＴＡの間の推定されたＣＦＯを報告するように要求することができる。ＣＦＯは、ＳＴＡにおいて（例えばＣＯＢＲＡポールフレーム内のダウンリンクプリアンブルの受信機処理によって）、推定され（例えば独立に推定され）得る。ＣＦＯは、帯域幅全体またはいくつかのサブチャネルにわたって推定され得る。例えば受信機キャリア周波数と、発振器によって発生された送信機キャリア周波数の間に、θの正規化キャリア周波数オフセットがあると仮定すると、時間領域信号ｘ（ｎ）は次のように表されることができ、
【００７４】
【数１】
0006467034.tif 000002
【００７５】
ただし｛Ｘ（ｋ）｝は周波数領域信号とすることができ、ｋはサブキャリアインデックス、およびｎは時間領域サンプルインデックスである。受信機は、プリアンブルを用いて、ｉ番目のＳＴＡに対するＣＦＯ  θiを推定することができる。ＳＴＡはこの情報を、例えばＣＯＢＲＡ応答フレームを通じてＡＰに送ることができる。
【００７６】
ＡＰは（例えばＣＯＢＲＡスケジュールフレームを用いて）、ＣＦＯを
【００７７】
【数２】
0006467034.tif 000003
【００７８】
だけ事前補正するように、ｉ番目のＳＴＡに要求することができ、
【００７９】
【数３】
0006467034.tif 000004
【００８０】
はθiと同じでも同じでなくてもよい。ＣＦＯは、複数のＳＴＡからのアップリンク送信を整合させるように事前補正され得る。
【００８１】
１または複数のＳＴＡがＣＦＯ事前補正を行うことができる。事前補正された信号（例えば時間領域補正を仮定）は、
【００８２】
【数４】
0006467034.tif 000005
【００８３】
とすることができ、ただし
【００８４】
【数５】
0006467034.tif 000006
【００８５】
はＣＦＯに対応するための事前補正係数とすることができる。異なる事前補正方法が用いられ得る（例えばテイラー級数展開をベースとする近似、周波数領域補間など）。
【００８６】
ＣＦＯ事前補正がもたらされることができ、これは以下の１または複数を含み得る。ＡＰは、ＳＴＡのそれぞれのＣＯＢＲＡポールを行うことができる。ＡＰはＳＴＡに、例えば順次に１つずつ応答フレームによって返答するように要求することができ、順序は例えばグループＩＤ内に明示的にまたは暗黙に示され得る。ＳＴＡは応答フレームを送る、例えば順次に１つずつ応答フレームを送ることができる。ＡＰはＣＦＯ、例えば各それぞれのＣＦＯを、例えば各ＳＴＡからＡＰに送信された応答フレームによって測定することができる。ＣＦＯは、帯域幅全体またはいくつかのサブチャネルにわたって推定され得る。例えば受信機キャリア周波数と、発振器によって発生された送信機キャリア周波数の間に、θの正規化キャリア周波数オフセットがあると仮定すると、時間領域信号ｘ（ｎ）は次のように表されることができ、
【００８７】
【数６】
0006467034.tif 000007
【００８８】
ただし｛Ｘ（ｋ）｝は周波数領域信号とすることができ、ｋはサブキャリアインデックス、およびｎは時間領域サンプルインデックスである。受信機は、プリアンブルを用いて、ｉ番目のＳＴＡに対するＣＦＯ  θiを推定することができる。
【００８９】
ＡＰは（例えばＣＯＢＲＡスケジュールフレームを用いて）、ＣＦＯを
【００９０】
【数７】
0006467034.tif 000008
【００９１】
だけ事前補正するように、ｉ番目のＳＴＡに要求することができ、
【００９２】
【数８】
0006467034.tif 000009
【００９３】
はθiと同じでも同じでなくてもよい。ＣＦＯは、複数のＳＴＡからのアップリンク送信を整合させるように事前補正され得る。
【００９４】
１または複数のＳＴＡがＣＦＯ事前補正を行うことができる。事前補正された信号（例えば時間領域補正を仮定）は、
【００９５】
【数９】
0006467034.tif 000010
【００９６】
とすることができ、ただし
【００９７】
【数１０】
0006467034.tif 000011
【００９８】
はＣＦＯに対応するための事前補正係数とすることができる。異なる事前補正方法が用いられ得る（例えばテイラー級数展開をベースとする近似、周波数領域補間など）。各ユーザが推定されたθを用いて信号を事前補正したときは、共通位相誤差は補正され得る。
【００９９】
本明細書で述べられるＣＦＯ事前補正は、図３に示されるようなアップリンクチャネルアクセス方式に基づくことができる。ＣＦＯ事前補正は、ＡＰと、ＳＴＡのそれぞれまたはＳＴＡのグループとの間の他のチャネルアクセス方式、または他の１対１フレーム交換マッピングを用いて適用され得る。
【０１００】
ＣＦＯ推定および／またはＣＦＯ事前補正値は、送信機と受信機の間でシグナリングおよび送信され得る。これらの値は角度（ラジアンでの）、周波数（Ｈｚまたはｐｐｍでの）を示すことができ、それらは送信のために量子化され得る。
【０１０１】
ＣＦＯ事前補正はタイミング、周波数、電力および／またはサンプリングオフセットを事前補正するために利用され得る。事前補正３９５は図３Ｂに示されるように、事前補正パラメータ捕捉３９６、および／または事前補正適用３９７を備えることができる。
【０１０２】
事前補正パラメータ捕捉３９６においてＡＰおよびＳＴＡは、それらの間のフレーム交換を利用して、いくつかの測定の要求および応答を交換することができる。いくつかの測定の要求および応答は、アップリンク複数ユーザ送信における事前補正のために利用され得る。例えばＡＰがＳＴＡのそれぞれにＣＯＢＲＡポールを行って送信電力および関連するメトリックを報告するように要求し、ＳＴＡは送信電力および関連するメトリックを報告し、ＡＰが測定を行うことは、本明細書で述べられるような事前補正捕捉と考えられ得る。例えばＡＰがＳＴＡのそれぞれのＣＯＢＲＡポールを行い、ＳＴＡはタイムスタンプ値を報告し、ＡＰがＳＴＡのそれぞれに対するタイミング補正値を決定することは、本明細書で述べられるような事前補正捕捉と考えられ得る。例えばＡＰがＳＴＡのそれぞれのＣＯＢＲＡポールを行い、タイムスタンプを記録し、ＳＴＡはＣＯＢＲＡ応答フレームにより応答し、ＡＰがＳＴＡのそれぞれに対するタイミング補正値を決定することは、本明細書で述べられるような事前補正捕捉と考えられ得る。例えばＡＰがＳＴＡのそれぞれのＣＯＢＲＡポールを行い、ＳＴＡは推定されたＣＦＯをＣＯＢＲＡ応答フレームによってＡＰに送ることは、本明細書で述べられるような事前補正捕捉と考えられ得る。
【０１０３】
事前補正適用３９７ではＡＰは、事前補正パラメータ捕捉を通じて、潜在的なアップリンク同時ユーザのそれぞれから情報を収集し、それをアップリンク同時ユーザのグループに適用する。例えばＡＰが各ＳＴＡまたはＳＴＡのグループに対する所望の送信電力または電力調整を、例えば現在ＣＯＢＲＡスケジュールフレーム内で送ることは、本明細書で述べられるような事前補正適用と考えられ得る。例えばＡＰがＴkを量子化し、量子化された値をＳＴＡに、例えばＣＯＢＲＡスケジュールフレームを用いて送り、ＳＴＡはＴkを受信し、タイミング遅延またはアドバンスを行うことは、本明細書で述べられるような事前補正適用と考えられ得る。例えばＡＰがＳＴＡにＣＦＯを事前補正するように、例えばＣＯＢＲＡスケジューリングフレームを用いて要求し、ＳＴＡはＣＦＯ事前補正を行うことは、本明細書で述べられるような事前補正適用と考えられ得る。
【０１０４】
事前補正パラメータ捕捉３９６は、以下の１または複数を含み得る。ＳＴＡはＡＰと複数回、事前補正パラメータ捕捉３９６を、例えば異なるフレーム交換マッピングにより行うことができる。事前補正を行って事前補正パラメータを捕捉するために利用され得るフレーム交換は、以下の１または複数を含み得る。ＣＯＢＲＡ事前補正情報要素または他のアップリンク同時送信情報要素は（例えばＳＴＡがＡＰに関連付けるとき）、プローブ要求／応答フレーム、関連付け要求／応答フレームなどを用いるなど、管理フレーム内に含まれ得る。アップリンクランダムアクセスのためのフレーム交換が用いられ得る。アップリンクランダムアクセスフレームは、事前補正要求／応答情報を含み得るＭＡＣ本体を含むことができる。通常のデータ／ＡＣＫフレーム交換が用いられ得る。データ／ＡＣＫフレームは、事前補正フィールドを含み得るフレームに集約され得る。データ／ＡＣＫフレームのＭＡＣヘッダは、事前補正フィールドを含むことができ、用いられ得る。ＡＣＫフレームは、変化に対応するように変更され得る。例えばアップリンクＣＯＢＲＡセッションの前に送信される、ＣＯＢＲＡ制御フレームが用いられ得る。例えばアップリンク同時送信の前に送信される、他のアップリンク同時送信制御フレームが用いられ得る。
【０１０５】
以下の１または複数が事前補正、例えば事前補正適用３９７に適用され得る。事前補正に適用されるパラメータは、以下の１または複数を含み得る。最新の事前補正によって捕捉された事前補正パラメータが、事前補正のために用いられ得る。事前補正パラメータは、過去の捕捉された事前補正パラメータのそれぞれの関数とすることができる。例えば関数は、重み付き平均、移動平均などとすることができる。
【０１０６】
事前補正パラメータの１または複数は、例えば絶対事前補正値および／または差分事前補正値によるＡＰシグナリングによって、シグナリングされ得る。絶対値および／または差分値は量子化され得る。
【０１０７】
事前補正パラメータをシグナリングするために利用され得るフレームは、以下の１または複数を含み得る：ＣＯＢＲＡスケジュールフレーム、ＣＯＢＲＡポールフレーム、スケジュールフレーム（例えば他のアップリンク同時送信方式のための）、またはポールフレーム（例えば他のアップリンク同時送信方式のための）。
【０１０８】
例えば同時アップリンク送信のための異なる要件をサポートするために、マルチ分解能事前補正がもたらされ得る。本明細書で述べられるように、例としてＣＯＢＲＡおよびＣＯＢＲＡアップリンクアクセスが利用され得る。将来のＷｉ−Ｆｉシステムのために、他の同時アップリンク送信、例えばアップリンクＭＵ−ＭＩＭＯ送信が利用可能となり得る。同時アップリンク送信は、時間領域、周波数領域、および／または電力領域での複数のユーザの同期を利用することができる。異なるアップリンク送信方式は、異なるレベルの同期を有し得る。例えばＵＬ  ＭＵ−ＭＩＭＯは、アップリンクＣＯＢＲＡによるＳＴＡとは異なる同期レベルによるアップリンクを目的とするＳＴＡを有し得る。分解能情報は、本明細書で述べられるようにシグナリングされ得る。ＡＰは、ビーコンフレームまたはプローブ応答フレームにおいて、マルチ分解能事前補正能力要素をブロードキャストすることができる。ＳＴＡは、関連付け要求フレームまたはプローブ要求フレームにおいて、マルチ分解能事前補正能力を報告することができる。表１は、マルチ分解能事前補正能力要素の例を示す。
【０１０９】
【表１】
0006467034.tif 000012
【０１１０】
表１に示されるようにマルチ分解能事前補正能力は、マルチ分解能タイミング事前補正使用可能、マルチ分解能周波数事前補正使用可能、および／またはマルチ分解能送信電力使用可能などを含むことができる。事前補正パラメータ捕捉により、ＡＰおよびＳＴＡは、指定された分解能を有する事前補正パラメータに対する要求および応答を交換することができる。要求において送信機（例えばＳＴＡ）は、所望の分解能を示すことができる。受信機は、送信機の命令に従っても従わなくてもよい。受信機は、指定された分解能を有する事前補正パラメータにより応答することができる。
【０１１１】
ＡＰおよび／またはＳＴＡは、マルチユーザ同期要求フィールド／情報要素（ＩＥ）を用いてＳＴＡまたはＳＴＡのグループに、１または複数の同期関連パラメータを報告するように要求することができる。このフィールド／ＩＥはＣＯＢＲＡポールフレーム、または他の関連する管理および制御フレーム内に含められ得る。マルチユーザ同期要求フィールド／ＩＥの例示的設計は、マルチユーザ電力制御必要フィールド、マルチユーザタイミング同期必要フィールド、またはマルチユーザＣＦＯ必要フィールドの１または複数を含むことができる。
【０１１２】
マルチユーザ電力制御必要フィールドは、送信電力必要サブフィールド、送信電力マージン必要サブフィールドなどを含むことができる。マルチユーザ電力制御必要サブフィールドは、受信機が送信電力および／または送信電力マージンを送信機に報告し得るかどうかを示すために利用され得る。マルチユーザ電力制御必要サブフィールドは必要な送信電力の分解能を示すことができ、またはそれは別のフィールド内に示され得る。
【０１１３】
マルチユーザタイミング同期必要フィールドは、マルチユーザ同期のためのタイムスタンプサブフィールドを利用することができる。タイムスタンプは、例えばＩＥＥＥ８０２．１１仕様において利用されるような、８オクテットフィールドとすることができる。より高い分解能を有するタイムスタンプが、マルチユーザタイミング同期のために利用され得る。この場合、増加された分解能はＳＴＡに通信され得る。タイムスタンプサブフィールドの分解能は、マルチユーザタイミング同期必要フィールドに、または別のフィールドに含められ得る。マルチユーザタイミング同期フィールドは、タイムスタンプ必要サブフィールドおよび／またはタイムスタンプ存在サブフィールドを含み得る。
【０１１４】
タイムスタンプ必要サブフィールドは、例えばタイミング補正のために一方向遅延を用いた時間同期が用いられるときに含められ得る。このサブフィールドは、応答するＳＴＡ（受信機）が応答するフレーム内でタイムスタンプを報告することを要求するために用いられ得る。
【０１１５】
タイムスタンプ存在サブフィールドは、例えばタイミング補正のために二方向遅延を用いた時間同期が用いられるときに含められ得る。タイムスタンプ存在サブフィールド設定が１であることは、現在の送信のタイムスタンプが現フレーム内に含まれることを示す。
【０１１６】
マルチユーザＣＦＯ必要フィールドは、ＣＦＯ必要サブフィールドを含むことができ、このサブフィールドが正の場合は、ＣＦＯ分解能サブフィールドがそれに続き得る。ＣＦＯ必要サブフィールドは１とすることができ（例えばＣＦＯ事前補正が利用されるとき）、ＣＦＯは例えば本明細書で述べられるようにＳＴＡ側において独立に推定され得る。ＣＦＯ必要サブフィールドは０とすることができ（例えばＣＦＯ事前補正が利用されるとき）、ＡＰは本明細書で述べられるように、ＳＴＡからの応答フレームに基づいてＣＦＯを測定する。これは図３Ａに示される。ＡＰおよびＳＴＡは、マルチ分解能事前補正能力要素を交換３５０することができる。ＡＰは媒体を捕捉することができ、マルチユーザＴＸＯＰを開始３５２することができる。ＡＰは、マルチユーザ送信モードがＭＵ−ＭＩＭＯであるかＯＦＤＭＡであるかを決定３５４することができる。マルチユーザ送信モードがＭＵ−ＭＩＭＯである場合、ＡＰは分解能が０に設定された必要フィールドによりマルチユーザ同期を準備３５６することができる。マルチユーザ送信モードがＯＦＤＭＡである場合、ＡＰは、分解能が１に設定された必要フィールドによりマルチユーザ同期を準備３５８することができる。
【０１１７】
表２は、マルチユーザ同期要求フィールド／ＩＥの例を示す。表２および図３Ｂに示されるようにマルチユーザ同期要求フィールド／ＩＥ３７０は、マルチユーザトランスポートプロトコル（「ＭＵ  ＴＰ」）必要サブフィールド３７２、ＭＵ  ＴＰマージン必要サブフィールド３７４、マルチユーザ（「ＭＵ」）タイミング必要サブフィールド３７６、ＭＵ  ＣＦＯ必要サブフィールド３７８、または分解能サブフィールド３８０の１または複数を含むことができる。ＭＵ  ＴＰ必要サブフィールド３７２は、受信機がマルチユーザ同期のために送信電力を報告し得るかどうかを示すことができる。ＭＵ  ＴＰマージン必要サブフィールド３７４は、受信機が送信電力マージンを報告し得るかどうかを示すことができる。
【０１１８】
【表２】
0006467034.tif 000013
【０１１９】
表２および図３Ｂに示されるように、ＭＵタイミング必要サブフィールド３７６は、受信機がその次の送信のタイムスタンプを報告し得るかどうかを示すことができる。ＭＵ  ＣＦＯ必要サブフィールド３７８は、受信機が推定されたＣＦＯを報告し得るかどうかを示すことができる。分解能サブフィールド３８０は、前のフィールドの少なくとも１つがゼロでないときに存在し得る。ＭＵ  ＣＦＯ必要フィールド３７８は、例えば｛ＴＰのためにｘ１バイト／ビット；ＴＰマージンのためにｘ２バイト／ビット；タイムスタンプのためにｘ３バイト／ビット；ＣＦＯのためにｘ４バイト／ビット｝を有する分解能セットＩに対しては１とすることができる。ＭＵ  ＣＦＯ必要フィールドは、例えば｛ＴＰのためにｙ１バイト／ビット；ＴＰマージンのためにｙ２バイト／ビット；タイムスタンプのためにｙ３バイト／ビット；ＣＦＯのためにｙ４バイト／ビット｝を有する分解能セットＩＩに対しては０とすることができる。
【０１２０】
分解能サブフィールド３８０はビットマップとすることができる。各ビットは構成要素セットからの１つの構成要素を表すことができる。例示的構成要素セットは、｛ＴＰ、ＴＰマージン、タイムスタンプ、および／またはＣＦＯ｝とすることができ、各構成要素は２つの分解能レベルを有し得る。１または複数（例えば２つ）の分解能レベルが利用され得る。
【０１２１】
表３は、マルチユーザ同期要求フィールド／ＩＥの例を示す。このフィールド／ＩＥは、タイミング補正を計算するためにラウンドトリップ遅延が用いられ得る時間同期において利用され得る。このフィールドはまた、ＡＰがＳＴＡから受信された応答フレームによってＣＦＯを測定し得るＣＦＯ事前補正において利用され得る。表３に示されるようにこのマルチユーザ同期要求フィールド／ＩＥでは、ＭＵ時間必要サブフィールドの代わりにＭＵタイミング提示済サブフィールドがもたらされ得る。ＭＵタイミング提示済サブフィールドの後に、タイムスタンプサブフィールドが続き得る。タイムスタンプサブフィールドは、ＭＵタイミング提示済サブフィールドの値に依存し得る。
【０１２２】
【表３】
0006467034.tif 000014
【０１２３】
タイムスタンプサブフィールドは、マルチユーザ同期要求フィールドを含むフレームのタイムスタンプを所望の受信機に通知するために用いられ得る。分解能サブフィールドは表２と同じとすることができ、またはタイムスタンプおよび／またはＣＦＯに対する分解能を含まなくてもよい。
【０１２４】
図３Ｂに示されるようにＳＴＡは、マルチユーザ同期応答フィールド／ＩＥ３８２を用いて同期関連パラメータを報告することができ、図２の送信機を用いてパラメータを通信することができる。表４および図３Ｂは、マルチユーザ同期応答フィールド／ＩＥ３８２の例を示す。表４および図３Ｂに示されるように、このフィールド／ＩＥ３８２は、ＭＵ  ＴＰ報告サブフィールド３８４、ＭＵ  ＴＰマージン報告３８６、ＭＵタイムスタンプ報告３８８、ＭＵ  ＣＦＯ報告３９０および分解能サブフィールド３９２の１または複数を含むことができる。
【０１２５】
【表４】
0006467034.tif 000015
【０１２６】
ＭＵ  ＴＰ報告サブフィールドまたはマルチユーザ電力制御応答サブフィールドは、送信電力応答、送信電力マージン応答などを含むことができる。これらの報告の分解能は、マルチユーザ同期要求フィールド３８０において送信された分解能フィールド３８０に従うことができ、または後に指定され得る。
【０１２７】
マルチユーザタイミング同期応答サブフィールド３８２は、現フレームのタイムスタンプを含むことができる。タイムスタンプの分解能は、マルチユーザ同期要求フィールド３８２において送信された分解能サブフィールド３９２に従うことができ、または後に指定され得る。マルチユーザタイミング同期応答サブフィールド３８２がもたらされ得る（例えば、時間同期が利用され得る、例えばタイミング補正を計算するためにラウンドトリップ遅延が用いられ得るときに）。
【０１２８】
マルチユーザＣＦＯ応答サブフィールドは、推定されたＣＦＯ応答を含むことができる。分解能フィールドは、マルチユーザ同期要求フィールド３８０において送信された分解能フィールドに従うことができ、または後に指定され得る。
【０１２９】
分解能サブフィールドは、サブフィールドのそれぞれの分解能を指定するために利用され得る。
【０１３０】
ＡＰは、マルチユーザ制御フィールドを用いて、１または複数のＳＴＡにＡＰと同期するように示すことができる。マルチユーザ制御フィールドは、ＣＯＢＲＡスケジュールフレーム内で送信され得る。図３Ｂおよび図４は、ＭＡＣヘッダ４０２、ＤＬ／ＵＬ方向４０４、チャネル割り振り４０６、およびＭＵ制御４０８を含み得る、ＣＯＢＲＡスケジュールフレーム４００の例を示す。図４に示されるようにＭＵ制御フィールド４０８は、１または複数のＳＴＡ情報フィールド４１０を含むことができる。各ＳＴＡ情報フィールド４１０は、ＡＩＤサブフィールド４１２、ＭＵ電力制御サブフィールド４１４、ＭＵタイミング制御サブフィールド４１６、またはＭＵ周波数制御サブフィールド４１８の１または複数を含むことができる。
【０１３１】
ＡＩＤサブフィールド４１２は、次回のＣＯＢＲＡ送信のためにスケジュールされることが予想されるＳＴＡの識別子に関連付けられ得る。ＡＩＤの圧縮されたバージョン、または他のＩＤが、ＳＴＡを区別するために利用され得る。
【０１３２】
ＭＵ電力制御サブフィールド４１４は、送信電力の絶対値または調整された値とすることができる。ＭＵ電力制御サブフィールド４１４は、例えば値が調整値である場合は、同期要求／応答フレーム内のものより低い分解能を用い得る。ＭＵ電力制御サブフィールド４１４は、同期要求／応答フレーム内のものと同じビット／バイト数を用いることができる。ＭＵ電力制御サブフィールド４１４は異なる量子化方法を用い得る。分解能および量子化方法は、送信機および受信機によって同意されることでき、または仕様において予め定義され得る。
【０１３３】
ＭＵタイミング制御サブフィールド４１６は予想される時間前進／遅延値とすることができ、ＭＵ同期要求／応答フレームにおいて用いられるタイムスタンプと同じ分解能およびフォーマットを有することができる。ＭＵタイミング制御４１６サブフィールドは、例えばこのサブフィールドが調整を示す場合は、同期要求／応答フレーム内のものより低い分解能を有し得る。ＭＵタイミング制御サブフィールド４１６は、同期要求／応答フレーム内のものと同じビット／バイト数を用いることができる。ＭＵタイミング制御サブフィールド４１６は異なる量子化方法を用い得る。分解能および量子化方法は、送信機および受信機によって同意されることでき、または仕様において予め定義され得る。
【０１３４】
ＭＵ周波数制御サブフィールド４１８は、ＳＴＡに対するＣＦＯ調整を示すことができる。ＭＵ周波数制御サブフィールド４１８は、例えばこのサブフィールドが調整を示す場合は、同期要求／応答フレーム内のものより低い分解能を有し得る。ＭＵ周波数制御サブフィールド４１８は、同期要求／応答フレーム内のものと同じビット／バイト数を用いることができる。しかしＭＵ周波数制御サブフィールド４１８は異なる量子化方法を用い得る。分解能および量子化方法は、送信機および受信機によって同意されることでき、または仕様において予め定義され得る。
【０１３５】
図５は、ＣＯＢＲＡスケジュールフレーム５００の例を示す。図５に示されるように、図４のＣＯＢＲＡスケジュール化フレームにおいてもたらされたフィールドに加えて、チャネル割り振りサブフィールド５０２がＳＴＡ情報サブフィールド内に含められ得る。チャネル割り振りサブフィールド５０２は、特定のＳＴＡのためのチャネル割り振りをシグナリングするために用いられ得る。
【０１３６】
アップリンクＣＯＢＲＡ受信機がもたらされ得る。アップリンク送信機は、周波数、タイミング差、サンプリングレートを事前補正し、送信機電力を調整することができる。事前補正は、ある信号レベル内に信号を整合し得る。アップリンク送信機はパラメータのいくつかを事前補正しないことを選ぶことができる。その場合、それらのパラメータに対する補正は受信機において行われ得る。受信機（例えばＡＰ）側では、さらに信号を整合し物理層性能を改善するように、微細タイミング、周波数および位相補正が適用され得る。
【０１３７】
図６は、例えばＣＯＢＲＡ  ＡＰにより、アップリンクＣＯＢＲＡ送信を受信するための受信機６００の例を示す。図６に示されるようにＡＰは、複数のサブチャネルを有する信号（例えば４つの２０ＭＨｚサブチャネルを有する８０ＭＨｚ信号６０２）を受信するときは、損傷推定のために８０ＭＨｚ信号（またはそれに基づく信号）をフィルタ６０４に通過させることができる。通過された信号（またはそれに基づく信号）６０３も受信機処理のために用いられ得る。フィルタ６０４は、所望のサブチャネル上の信号をフィルタリングすることができる。例えばサブチャネル（例えば２０ＭＨｚサブチャネル）が考察されるときは、４つのフィルタが８０ＭＨｚ信号に適用され得る。フィルタリングの後に、各サブチャネル上の４つの２０ＭＨｚ信号６０６が得られ得る。各狭帯域信号（例えば２０ＭＨｚ信号）に対して、例えばサブチャネル上のショートトレーニングフィールド（ＳＴＦ）および／またはロングトレーニングフィールド（ＬＴＦ）を用いて、タイミングオフセット（ＴＯ）および／またはキャリア周波数オフセット（ＣＦＯ）が推定６０８され得る。推定されたＴＯおよびＣＦＯは、８０ＭＨｚ信号に適用６１０され得る。位相誤差を補正するために、パイロット追跡アルゴリズム６１２が適用され得る。
【０１３８】
受信機側（例えばＣＯＢＲＡ受信機）におけるタイミングオフセットおよび／またはＣＦＯ補正がもたらされ得る。図６に示されるように、サブチャネルのそれぞれ上の信号をフィルタリングするように、周波数領域フィルタのセット６０２が広帯域信号に適用され得る。ＣＯＢＲＡプリアンブル設計によりサブチャネルのそれぞれは、それ自体のショートトレーニングフィールド（ＳＴＦ）およびロングトレーニングフィールド（ＬＴＦ）を含み得る。図６に示されるように、タイミングおよび／または周波数オフセット補正が行われ得る。以下の１または複数が用いられ得る。
【０１３９】
図６に示されるようにＡＰは、受信された信号（または受信された信号に基づく信号）を周波数フィルタのセットに送ることができる。ＡＰは各サブチャネルの信号を得ることができる。ｋ番目のサブチャネル上の信号に対してＡＰは、例えば自己相関、相互相関アルゴリズムなどの通常のパケット開始検出アルゴリズムを用いてＳＴＦ／ＬＴＦをチェックすることによって、タイミングおよび／または周波数オフセット推定を行うことができる。ＡＰは、推定されたタイミングオフセットをＴＯk、およびキャリア周波数オフセットをＣＦＯkとして記録することができる。ＡＰは、サブチャネル信号のそれぞれに対してタイミングおよび／または周波数オフセット推定を繰り返すことができる。ＡＰは、｛ＴＯk：ｋ＝１，・・・，Ｋ｝に従って１つのＴＯを計算することができ、Ｋはサブチャネルの数である。例えばＴＯ＝ｍｉｎ（ＴＯk）である。ＡＰは、｛ＣＦＯk：ｋ＝１，・・・，Ｋ｝に従って１つのＣＦＯを計算することができ、Ｋはサブチャネルの数である。例えばＣＦＯ＝ｍｅａｎ（ＴＯk）である。ＡＰは、例えば受信された広帯域信号（または受信された信号に基づく信号）を用いて、時間領域においてＴＯおよび／またはＣＦＯを補償することができる。ＡＰは保護間隔を除去することができ、離散フーリエ変換（ＤＦＴ）処理を行って信号を時間領域から周波数領域に変換することができる。周波数領域においてＡＰは、周波数帯域マッピングを行うことができる。ＡＰは、異なるＳＴＡに対する信号を得ることができる。
【０１４０】
図７は、アップリンクＣＯＢＲＡ送信の受信のための受信機７００の例を示す。図７に示されるようにタイミング／周波数補正は、以下の１または複数を含み得る。ＡＰは受信された広帯域信号７０４（またはそれに基づく信号）を周波数フィルタのセット７０６に送ることができる。ＡＰは、サブチャネルのそれぞれに対する信号を得ることができる。サブチャネル（例えばｋ番目のサブチャネル）に対してＡＰは、例えば自己相関および／または相互相関アルゴリズムなどの通常のパケット開始検出アルゴリズムを用いてＳＴＦ／ＬＴＦをチェックすることによって、タイミング／周波数オフセット推定７０８を行うことができる。ＡＰは、推定されたタイミングオフセット７１０をＴＯkとして記録することができる。ＡＰは、推定されたタイミングオフセット（ＴＯk）およびキャリア周波数オフセット（ＣＦＯk）７１０を記録することができる。ＡＰはＴＯkおよびＣＦＯkを広帯域信号７０４（またはそれに基づく信号）に適用７１２し、ｋ番目のサブチャネルに対するタイミングオフセットおよびキャリア周波数オフセットを補償することができる。ＡＰは、保護間隔を除去７１４し、ＤＦＴ７１６を行うことができる。周波数領域においてＡＰは、周波数帯域マッピング７１８を行い、ｋ番目のサブチャネルに対する信号を得ることができる。ＡＰは、タイミングおよび／または周波数オフセット推定を行うことを繰り返すことができる。ＡＰは、ＴＯkおよびＣＦＯkを適用して保護間隔を除去し、サブチャネルのそれぞれ上のデータの受信のために各信号に対してＤＦＴを行うことができる。ＡＰはｍ番目のＳＴＡに対する周波数領域信号を収集することができる。ＡＰは通常の検出を行うことができる。ｍ番目のＳＴＡは、１または複数のサブチャネルに割り当てられ得る。複数のサブチャネル割り当てにおいてＡＰは、複数のサブチャネルから周波数領域信号を収集することができる。ＡＰは、データ復調および復号を行うことができる。
【０１４１】
受信機側（例えば、ＣＯＢＲＡ  ＡＰなどのＣＯＢＲＡ受信機）における共通位相誤差補正がもたらされ得る。送信機および受信機側の両方でのＣＦＯ補正により残留位相誤差が存在し得る。共通位相誤差（ＣＰＥ）を推定および／または補償するためのシステム、方法および手段がもたらされ得る。ＣＰＥはＡＰ側において、例えばアップリンクパイロット信号の受信機処理によって補償され得る。各ＳＴＡに対するパイロットサブキャリアは送信の異なるサブチャネル内とすることができ、ＳＴＡのそれぞれに対するＣＰＥは、それぞれのＳＴＡのパイロットサブキャリアを用いて測定され得る（例えば独立に測定される）。式（１）に示されるように、ｉ番目のユーザに対するＣＰＥの推定ｃｐｅiは、
【０１４２】
【数１１】
0006467034.tif 000016
【０１４３】
として計算されることができ、ただしｈn,iはｉ番目のユーザのｎ番目のパイロットサブキャリアに対する周波数領域チャネル応答とすることができ、ｐn,iは送信されたパイロットシンボルとすることができる。
【０１４４】
正規化の後に、推定されたＣＰＥ
【０１４５】
【数１２】
0006467034.tif 000017
【０１４６】
は、ｉ番目のユーザの各サブキャリアのチャネル推定に、
【０１４７】
【数１３】
0006467034.tif 000018
【０１４８】
を乗算することによって補償され得る。シンボルを復号するために、補償されたチャネル推定が用いられるので、各ユーザに対してＣＰＥが除去される。以下の１または複数が用いられ得る。ＡＰは、ＳＴＡのそれぞれのＣＯＢＲＡポールを行って、ＳＴＡが送るべきデータを有することを決定することができる。ＳＴＡのそれぞれはそのＣＦＯ、例えばＡＰに対するＣＦＯを測定することができる。ＳＴＡは、例えば後に続くそれぞれのＣＯＢＲＡ送信において、式（１）に示されるように推定されたＣＦＯにより、それ自体を事前補正することができる。事前補正はＣＯＢＲＡフレームに適用され得る。ＳＴＡのそれぞれは、予め定義されたサブキャリアにおいてパイロットを有し得る。ＡＰは、ＣＯＢＲＡ送信のそれぞれを同時に受信することができる。ＡＰは、本明細書で述べられるように受信機において、周波数領域フィルタ、並びにＣＦＯ補正およびタイミング補正を適用することができる。ＡＰは、パイロットおよびパイロットにおけるチャネル推定を用いて、各ＳＴＡに対するＣＰＥを推定することができる。ＡＰは正規化を行うことができる。ＡＰは、個々のＳＴＡに対する各パイロットサブキャリアに対するＣＰＥを平均することができる。ＡＰは各ＳＴＡに対するチャネル推定を、例えばそれぞれの正規化されたＣＰＥにより補償することができる。ＡＰは、補償されたチャネル推定を用いてデータを等化し、ＳＴＡのそれぞれに対するデータを分離することができる。
【０１４９】
アップリンクＣＯＢＲＡ方式の性能を評価するために、リンクレベルのシミュレーションが行われ得る。例えばＡＰは、チャネル（例えば８０ＭＨｚチャネル）上で動作することができる。ＡＰは、ＣＯＢＲＡ送信を通じて４つのユーザに送信しおよびそれらから受信することができる。ユーザのそれぞれには、サブチャネル（例えば２０ＭＨｚサブチャネル）が割り当てられ得る。ＣＯＢＲＡユーザのそれぞれに対して、同じ変調および符号化方式が用いられ得る（例えばＭＣＳ５であり、これは６４ＱＡＭおよびレート２／３畳み込みコードを指す）。
【０１５０】
シナリオでは単一データストリームが、ユーザのそれぞれに送信されおよびそれらから受信され得る。データストリームは、ＮSS＝１によって表されることが可能で、ＮSSはデータストリームの数を表す。このシナリオでのパケットサイズは、５００バイトとすることができる。ＡＰ側およびＳＴＡ側の両方において単一のアンテナが用いられ得る。別のシナリオでは２つのデータストリームが、ユーザのそれぞれに送信されおよびそれらから受信されることができ、従ってＮss＝２である。このシナリオでのパケットサイズは、１０００バイトとすることができる。ＡＰおよびＳＴＡは２つのアンテナを有し得る。
【０１５１】
シミュレーションで利用されたチャネルモデルがＩＥＥＥ８０２．１１チャネルＢおよびチャネルＤであると仮定すると、チャネルＢは１５ｎｓのＲＭＳ遅延スプレッドを有することができ、チャネルＤは５０ｎｓのＲＭＳ遅延スプレッドを有し得る。チャネルモデルは、屋内マルチパス状況を表し得る。ＲＭＳ遅延スプレッドの違いにより、チャネルＤはチャネルＢより周波数選択的となり得る。異なるＳＴＡに対して、ランダムな到来（ＡｏＡｓ）および放射（ＡｏＤｓ）角が選ばれ得る。
【０１５２】
キャリア周波数オフセットが送信機において事前補正され、受信機側での第１のＣＦＯ補正が図６および図７に示されるようにサブチャネルフィルタの後で生じる場合、残留ＣＦＯはゼロ平均ガウス分布としてモデル化され得る。分散は、１対１送信の数値シミュレーションによって得られ得る。ＣＦＯは、ＳＴＦ／ＬＴＦに対して自己相関または相互相関を用いることによって補正され得る。図８は、ゼロＳＮＲ曲線８０２、１２ｄＢ  ＳＮＲ曲線８０４および２４ｄＢ  ＳＮＲ曲線８０６による残留ＣＦＯ分布関数の例８００を示す。残留ＣＦＯの分散は、表５および表６に示されるように異なる信号対雑音比に依存し得る。表５は単一のアンテナによる異なるＳＮＲにおける残留ＣＦＯの分散の例を示す。表６は２つの送信アンテナによる異なるＳＮＲにおける残留ＣＦＯの分散の例を示す。
【０１５３】
【表５】
0006467034.tif 000019
【０１５４】
【表６】
0006467034.tif 000020
【０１５５】
図９、図１０の結果に対しては、ユーザ間にタイミングオフセットがないこと、およびユーザのそれぞれからの同様な受信電力レベルが仮定される。図９および図１０の結果に対しては、位相ノイズまたはＩＱ不平衡は考慮されない。残留ＣＦＯは、パイロット追跡によって補正される。図９は、チャネルＢを通した単一データストリームアップリンクＣＯＢＲＡ送信のシミュレーション結果の例９００を示す。図１０は、チャネルＤを通した単一データストリームアップリンクＣＯＢＲＡ送信のシミュレーション結果の例１０００を示す。図９は、Ｎｏ  ＲＣＦＯ、Ｒｅｅｌ  ＣＨＥＳＴ、Ｎｏ  Ｐｉｌｏｔ  Ｔｒａｃｋ９０２；Ｎｏ  ＲＣＦＯ、Ｒｅｅｌ  ＣＨＥＳＴ、Ｐｉｌｏｔ  Ｔｒａｃｋ９０４；ＲＣＦＯ、Ｒｅｅｌ  ＣＨＥＳＴ、Ｎｏ  Ｐｉｌｏｔ  Ｔｒａｃｋ９０６；およびＲＣＦＯ、Ｒｅｅｌ  ＣＨＥＳＴ、Ｐｉｌｏｔ  Ｔｒａｃｋ９０８を示す。トラック９０４、９０８は互いにほとんど重なり合う。曲線９０４に対する開始点９０４ａおよび曲線９０２に対する開始点９０２ａが示される。図１０は、Ｎｏ  ＲＣＦＯ、Ｒｅｅｌ  ＣＨＥＳＴ、Ｎｏ  Ｐｉｌｏｔ  Ｔｒａｃｋ１００２；Ｎｏ  ＲＣＦＯ、Ｒｅｅｌ  ＣＨＥＳＴ、Ｐｉｌｏｔ  Ｔｒａｃｋ１００４；ＲＣＦＯ、Ｒｅｅｌ  ＣＨＥＳＴ、Ｎｏ  Ｐｉｌｏｔ  Ｔｒａｃｋ１００６；およびＲＣＦＯ、Ｒｅｅｌ  ＣＨＥＳＴ、Ｐｉｌｏｔ  Ｔｒａｃｋ１００８を示す。トラック１００４、１００８は互いにほとんど重なり合う。曲線１００４に対する開始点１００４ａおよび曲線１００８に対する開始点１００８ａが示される。
【０１５６】
本明細書で述べられるように、様々なフレーム間隔を示すためにＳＩＦＳが用いられるが、ＲＩＦＳまたは他の合意された時間間隔などの、他のフレーム間隔のそれぞれが適用され得る。
【０１５７】
特徴および要素は上記では特定の組み合わせにおいて述べられたが、当業者は、各特徴または要素は単独で、または他の特徴および要素との任意の組み合わせにおいて用いられ得ることを理解するであろう。本明細書で述べられた８０２．１１プロトコル以外に、本明細書で述べられた特徴および要素は、他の無線システムに応用可能となり得る。さらに本明細書で述べられた方法は、コンピュータまたはプロセッサによる実行のためにコンピュータ可読媒体に組み込まれた、コンピュータプログラム、ソフトウェア、またはファームウェアにおいて実施され得る。コンピュータ可読媒体の例は、電子信号（有線または無線接続を通して送信される）、およびコンピュータ可読記憶媒体を含む。コンピュータ可読記憶媒体の例は、読み出し専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ＣＤ−ＲＯＭディスクおよびデジタル多用途ディスク（ＤＶＤ）などの光媒体を含むが、それらに限定されない。ＷＴＲＵ、端末装置、基地局、ＲＮＣまたは任意のホストコンピュータにおける使用のために、無線周波数トランシーバを実施するように、ソフトウェアと関連してプロセッサが用いられ得る。
【図１Ａ】
0006467034.tif 000021
【図１Ｂ】
0006467034.tif 000022
【図１Ｃ】
0006467034.tif 000023
【図２】
0006467034.tif 000024
【図３】
0006467034.tif 000025
【図３Ａ】
0006467034.tif 000026
【図３Ｂ】
0006467034.tif 000027
【図４】
0006467034.tif 000028
【図５】
0006467034.tif 000029
【図６】
0006467034.tif 000030
【図７】
0006467034.tif 000031
【図８】
0006467034.tif 000032
【図９】
0006467034.tif 000033
【図１０】
0006467034.tif 000034